(57)【特許請求の範囲】
【請求項１】
着用者への着用時に、着用者のウエストの前部に位置する前部と、上記ウエストの後部に位置する後部と、前部と後部との間で着用者の股部に位置する股部と、を有している一体型使い捨て可能吸収体であって：
上記股部が、
液体透過性の表面シート，上記表面シートと結合された液体不透過性−蒸気透過性のバックシート，そして上記表面シートと上記バックシートとの間に配置された吸収性コアを具備する主パネルと、
上記主パネルの両側縁から外側へ側面方向に伸びており、弾性脚部部材が作用可能に結合されている１対の脚フラップパネルと、
を有しており；
上記前部と上記後部とが、
上記主パネルの両端縁から外側へ長手方向に伸びており、弾力的伸長性を備えるウエストバンドパネルを含む中央パネルと、
上記中央パネルから両外側へ側面方向に伸びていて、夫々が側面方向に伸長可能であり、夫々が少なくとも３５００ｇ／ｍ2／２４時間の重量平均質量蒸気透過率を有するとともに、１回目の引っ張りに対し１００％伸長では３９．４ｇ／ｃｍ（１００グラム／インチ）以上であり２００％伸長では７８．７ｇ／ｃｍ（２００グラム／インチ）〜１５７．５ｇ／ｃｍ（４００グラム／インチ）の当初の引張り伸長力であり、２回目の引っ張りに対しては２０％乃至１４０％の伸長範囲内で９．８ｇ／ｃｍ（２５グラム／インチ）と７８．７ｇ／ｃｍ（２００グラム／インチ）との間の回復力を有していて、着用者上に使い捨て可能吸収体を維持する力を発生させる１対のサイドパネルと、
を具備している；
ことを特徴とする一体型使い捨て可能吸収体。
【請求項２】
前記後部内の前記ウエストバンドパネルが、少なくとも３０００ｇ／ｍ2／２４時間の重量平均質量蒸気透過率を有する、ことを特徴とする請求項１に記載の一体型使い捨て可能吸収体。
【請求項３】
前記主パネルが、少なくとも２５００ｇ／ｍ2／２４時間の重量平均質量蒸気透過率を有する、ことを特徴とする請求項１に記載の一体型使い捨て可能吸収体。
【請求項４】
前記中央パネルが、２５００ｇ／ｍ2／24時間より大きい重量平均質量蒸気透過率を有する、ことを特徴とする請求項３に記載の一体型使い捨て可能吸収体。
【請求項５】
前記前部，前記後部，そして前記股部を画定するシャシー層を備え、
各前記サイドパネルに弾力的伸長性があるストレッチラミネートが形成されており、前記ストレッチラミネートは前記シャシー層と結合されておりエラストマー材料の弾性パネル部材を含む、ことを特徴とする請求項１記載の一体型使い捨て可能吸収体。
【請求項６】
前記エラストマー材料がスクリムであり、前記シャシー層が不織布ウエブを備えている、ことを特徴とする請求項５に記載の一体型使い捨て可能吸収体。
【請求項７】
前記サイドパネルが、更に、前記サイドパネルを前記前部に取り外し可能に取り付けるための、前記サイドパネルに結合されたファスナーを具備する、ことを特徴とする請求項１に記載の一体型使い捨て可能吸収体。
【請求項８】
前記サイドパネルから外側へ側面方向に伸びている閉じ合わせパネルを更に具備しており、前記前部の１対の閉じ合わせパネルと前記後部の１対の閉じ合わせパネルとが重ね合わされて閉じ目を形成している、ことを特徴とする請求項１に記載の一体型使い捨て可能吸収体。
【請求項９】
着用者への着用時に、着用者のウエストの前部に位置する前部と、上記ウエストの後部に位置する後部と、前部と後部との間で着用者の股部に位置する股部と、を有している一体型使い捨て可能吸収性引上げ着用衣類であって：
上記股部が、
液体透過性の表面シート，上記表面シートと結合された液体不透過性−蒸気透過性のバックシート，そして上記表面シートと上記バックシートとの間に配置された吸収性コアを具備する主パネルと、
上記主パネルの両側縁から外側へ側面方向に伸びており、弾性脚部部材が作用可能に結合されている１対の脚フラップパネルと、
を有しており；
上記前部が、
上記主パネルの一方の端縁から外側へ長手方向に伸びており、弾力的伸長性を備えるウエストバンドパネルを含む中央パネルと、
上記中央パネルから両外側へ側面方向に伸びていて、夫々が側面方向に伸長可能であり、夫々が少なくとも３５００ｇ／ｍ2／２４時間の重量平均質量蒸気透過率を有する１対のサイドパネルと、
を具備しており；
上記後部が、
上記主パネルの他方の端縁から外側へ長手方向に伸びており、弾力的伸長性を備え少なくとも３５００ｇ／ｍ2／２４時間の重量平均質量蒸気透過率を有するウエストバンドパネルを含む中央パネルと、
上記中央パネルから両外側へ側面方向に伸びていて、夫々が側面方向に伸長可能であり、夫々が少なくとも４０００ｇ／ｍ2／２４時間の重量平均質量蒸気透過率を有するとともに、１回目の引っ張りに対し１００％伸長では３９．４ｇ／ｃｍ（１００グラム／インチ）以上であり２００％伸長では７８．７ｇ／ｃｍ（２００グラム／インチ）〜１５７．５ｇ／ｃｍ（４００グラム／インチ）の当初の引張り伸長力であり、２回目の引っ張りに対しては２０％乃至１４０％の伸長範囲内で９．８ｇ／ｃｍ（２５グラム／インチ）と７８．７ｇ／ｃｍ（２００グラム／インチ）との間の回復力を有していて、着用者上に使い捨て可能吸収体を維持する力を発生させる１対のサイドパネルと、
を具備している；
ことを特徴とする一体型使い捨て可能吸収性引上げ着用衣類。
【請求項１０】
前記前部の前記ウエストバンドパネルが少なくとも３５００ｇ／ｍ2／２４時間の重量平均質量蒸気透過率を有しており、
前記前部の前記１対のサイドパネルの夫々は、１回目の引っ張りに対し１００％伸長では３９．４ｇ／ｃｍ（１００グラム／インチ）以上であり２００％伸長では７８．７ｇ／ｃｍ（２００グラム／インチ）〜１５７．５ｇ／ｃｍ（４００グラム／インチ）の当初の引張り伸長力であり、２回目の引っ張りに対しては２０％乃至１４０％の伸長範囲内で９．８ｇ／ｃｍ（２５グラム／インチ）と７８．７ｇ／ｃｍ（２００グラム／インチ）との間の回復力を有している、
ことを特徴とする請求項９に記載の一体型使い捨て可能吸収性引上げ着用衣類。
【発明の詳細な説明】
【０００１】
【発明の属する技術分野】
本発明は、一体型使い捨て可能吸収体、及び一体型使い捨て可能吸収性引上げ着用衣類に関係している。
【０００２】
【従来の技術】
乳幼児及びその他の失禁者は、使い捨て可能吸収体、例えば尿及びその他の体内からの排泄物を受入れ、かつ保持するおむつを着用している。固定サイド部を有する吸収性衣類（例えば排泄しつけ用パンツ又は引上げ着用おむつ）は、トイレのしつけ中であることが多い歩行可能な子供に使用するものとして、一般に利用されるようになった。体内からの排泄物を保持するため、及び非常に様々な体形や寸法に合わせるため、このようなパンツは、着用者のウエストと脚の周りにぴったりと合って、胴体の所定の位置から垂れたり、弛んだり、滑り落ちたりせず、同時に体の大きい着用者にもフィットして、製品が窮屈すぎることにより肌に刺激を与えたりしないようなものでなければならない。従って、このようなパンツは、弾性部が高いストレッチ性を有することにより、ウエストと脚に弾力的伸長性を有するものでなければならない。
【０００３】
多くの排泄しつけ用パンツ及び引上げ着用おむつには、ウエストと脚開口に、弾力的に収縮しうる条件で固定された従来の弾性要素が用いられている。一般に耐久性のある下着に備えられているような、脚とウエストの周りの十分な弾性フィットを得るために、脚開口とウエスト開口は、開口の曲線に沿って配置されたゴム又はその他の材料の弾性バンドで取囲まれている。これらのパンツは一般に、「風船型」パンツとして特徴付けられる。これは、製品の特定のゾーンにある弾性バンドによって収縮が引き起こされる一方で、残りの材料はゆったりとしたひだになっているためである。このような排泄しつけ用パンツの例は、１９９２年１２月１５日のイガウエその他（Ｉｇａｕｅ  ｅｔ  ａｌ．）による米国特許第５，１７１，２３９号、及び１９８６年９月９日のストロビーンその他（Ｓｔｒｏｈｂｅｅｎ  ｅｔ  ａｌ．）の米国特許第４，６１０，６８１号に開示されている。これらのパンツは、収縮性のある弾性開口が伸びて、様々なサイズの着用者にフィットするという事実によって、様々なウエストと脚のサイズに合わせることができるが、これらの製品はそれにもかかわらず、限定された範囲のサイズにしかフィットしない。これは弾性要素が収縮していて、高度のストレッチ性を有しないからである。ウエスト開口と脚開口に用いられている幅の狭い弾性バンドはまた、「フィット」力を着用者の体の狭いゾーンに集中させる傾向があり、これによって着用者の肌に痕が付く確率が高くなる。さらには製品のサイド部及びその他の部分は、一般には弾力的伸長性が無く、これによってフィット感が減少する。
【０００４】
風船型パンツのこの欠点を解消するために、製造業者の中には製品の前部と後部全体に弾性ストランドを回して配置したものもある。例えば１９９３年９月１６日に公告された国際公開（ＷＯ）第９３／１７６４８号は、引上げ着用おむつを開示しており、これは前部及び／又は後部が弾力的に収縮可能であり、吸収性コアがこれらの部位に配置されているものである。これらの追加弾性ストランドは、吸収性コアの末端区域を含むパンツの前部及び後部ウエスト部全体を収縮させる作用がある。これにより、ウエスト部において製品がより大きく広がるが、吸収性コアにはギャザーができ、ウエスト開口に塊ができる。このギャザーと塊が生じた結果、ウエスト部において漏れのリスクが増大する。これは、体内からの排泄物がウエストから滲むか溢れ出るような通路が、吸収性コアに沿って形成されるからである。吸収性コアのこのギャザーは、製品の外見をも損ね、製品は風船型パンツほど美的に好ましいものではない。
【０００５】
もう１つの排泄しつけ用パンツが、１９９０年７月１０日にヴァン・ゴンペルその他（Ｖａｎ  Ｇｏｍｐｅｌ  ｅｔ  ａｌ．）に発行された米国特許第４，９４０，４６４号に開示されている。この製品では、個別ストレッチ性部材を衣類本体のサイド縁部へ接着させて、パンツ様衣類が形成されている。このストレッチ性部材によって、製品を様々なサイズに合わせることができるが、これはストレッチ性部材が伸びて着用者のサイズに合うようになるからである。しかしながら、この製品及び製造工程における大きな問題は、本体とストレッチ性部材との閉じ合わせである。閉じ目は、非常に強くなければならず、着用する時及び使用中に大きな力を制御しうるものでなければならない。パンツは、使用中に強い力及び応力を受け、これによって、サイドパネルが本体部から離脱するか、裂けてしまうこともある。さらに、これらの分離したストレッチ性部材を制御するので製造工程が非常に複雑になり、これらのパンツは消費者にとってさらに値段が高くなる。本体部へ閉じ合わせることによって、製品の上部及び底部にフィット力が集中する傾向が生じ、その結果閉じ目が裂けやすくなり、衣類のフィットが悪くなる。
【０００６】
１９９３年９月２１日にハッセ（Ｈａｓｓｅ）、ブリッジス（Ｂｒｉｄｇｅｓ）及びミラー（Ｍｉｌｌｅｒ）に許可された米国特許第５，２４６，４３３号は、ストレッチラミネートサイドパネル、並びに弾性ウエストバンド及び脚部バンドを有するパンツについて開示している。サイドパネルにおけるストレッチラミネートは、製品のサイド部にストレッチ性を与え、パンツを着用者によりよくフィットさせる。ストレッチラミネートは、パンツのその他の部分と一体化されており、パンツに結合された別々の個別弾性パネル部材を有するパンツに関連した欠点が克服される一方で、従来の風船型パンツのフィットが改善されている。しかしながら、これらのパンツは着用者が自分でパンツを簡単に穿くことができるほど十分なストレッチ性があるわけではないという欠点がある。ここに開示されているストレッチラミネートは、限度のあるストレッチを与えるだけである。さらには、ストレッチラミネートを形成するために用いられている材料は、使用中に裂けたり、ちぎれたりという問題も起こりうる。その結果、製品は製造業者によってスクラップにされる。
【０００７】
これらの製品全体に関するもう１つの欠点は、製品の通気性である。パンツのパネルは一般に、このような製品の通気性を妨げることがあるフィルム又はフォームから形成されている。このような通気性の欠如から、着用者にとっては暑くて蒸れる製品が生じる結果になる。
【０００８】
【発明が解決しようとする課題】
したがって本発明の目的は、介護者が着用者に実際に着用させる前に試しに１回引き延ばしても、或いは実際に着用させる際に１回引き伸ばしても、着用者のウエストの周りの所望の位置に適用された後に、股部に着用者から排泄された液体、一般には小水、が股部の最大吸収能力まで吸収された場合でも、着用者のウエストの周りの所望の位置に維持する力を発生させることが出来るばかりでなく、このような回復力を有していても着用者のウエストにおいて少なくとも前部と後部のサイドパネルが当接する部位が密封されて湿度が高まることが無く、これにより赤い痕跡やその他の皮膚湿潤疾患が生じることが出来る、一体型使い捨て可能吸収体及び一体型使い捨て可能吸収性引上げ着用衣類を提供することである。
【０００９】
【課題を解決するための手段】
上述したこの発明の目的を達成する為に、この発明に従った一体型使い捨て可能吸収体は、着用者への着用時に、着用者のウエストの前部に位置する前部と、上記ウエストの後部に位置する後部と、前部と後部との間で着用者の股部に位置する股部と、を有している一体型使い捨て可能吸収体である。
【００１０】
そして、上記股部が：液体透過性の表面シート，上記表面シートと結合された液体不透過性−蒸気透過性のバックシート，そして上記表面シートと上記バックシートとの間に配置された吸収性コアを具備する主パネルと；上記主パネルの両側縁から外側へ側面方向に伸びており、弾性脚部部材が作用可能に結合されている１対の脚フラップパネルと；を有している。
【００１１】
また、上記前部と上記後部とが：上記主パネルの両端縁から外側へ長手方向に伸びており、弾性的伸長性を備えるウエストバンドパネルを含む中央パネルと；上記中央パネルから両外側へ側面方向に伸びていて、夫々が側面方向に伸長可能であり、夫々が少なくとも３５００ｇ／ｍ2／２４時間の重量平均質量蒸気透過率を有するとともに、１回目の引っ張りに対し１００％伸長では３９．４ｇ／ｃｍ（１００グラム／インチ）以上であり２００％伸長では７８．７ｇ／ｃｍ（２００グラム／インチ）〜１５７．５ｇ／ｃｍ（４００グラム／インチ）の当初の引張り伸長力であり、２回目の引っ張りに対しては２０％乃至１４０％の伸長範囲内で９．８ｇ／ｃｍ（２５グラム／インチ）と７８．７ｇ／ｃｍ（２００グラム／インチ）との間の回復力を有していて、着用者上に使い捨て可能吸収体を維持する力を発生させる１対のサイドパネルと；を具備している。
【００１２】
上述したこの発明の目的を達成する為に、この発明に従った一体型使い捨て可能吸収性引上げ着用衣類は、着用者への着用時に、着用者のウエストの前部に位置する前部と、上記ウエストの後部に位置する後部と、前部と後部との間で着用者の股部に位置する股部と、を有している一体型使い捨て可能吸収性引上げ着用衣類である。
【００１３】
そして、上記股部が：液体透過性の表面シート，上記表面シートと結合された液体不透過性−蒸気透過性のバックシート，そして上記表面シートと上記バックシートとの間に配置された吸収性コアを具備する主パネルと；上記主パネルの両側縁から外側へ側面方向に伸びており、弾性脚部部材が作用可能に結合されている１対の脚フラップパネルと；を有している。
【００１４】
また上記前部が：上記主パネルの一方の端縁から外側へ長手方向に伸びており、弾力的伸長性を備えるウエストバンドパネルを含む中央パネルと；上記中央パネルから両外側へ側面方向に伸びていて、夫々が側面方向に伸長可能であり、夫々が少なくとも３５００ｇ／ｍ2／２４時間の重量平均質量蒸気透過率を有する１対のサイドパネルと；を具備している。
【００１５】
また上記後部が：上記主パネルの他方の端縁から外側へ長手方向に伸びており、弾力的伸長性を備え少なくとも３５００ｇ／ｍ2／２４時間の重量平均質量蒸気透過率を有するウエストバンドパネルを含む中央パネルと；上記中央パネルから両外側へ側面方向に伸びていて、夫々が側面方向に伸長可能であり、夫々が少なくとも４０００ｇ／ｍ2／２４時間の重量平均質量蒸気透過率を有するとともに、１回目の引っ張りに対し１００％伸長では３９．４ｇ／ｃｍ（１００グラム／インチ）以上であり２００％伸長では７８．７ｇ／ｃｍ（２００グラム／インチ）〜１５７．５ｇ／ｃｍ（４００グラム／インチ）の当初の引張り伸長力であり、２回目の引っ張りに対しては２０％乃至１４０％の伸長範囲内で９．８ｇ／ｃｍ（２５グラム／インチ）と７８．７ｇ／ｃｍ（２００グラム／インチ）との間の回復力を有していて、着用者上に使い捨て可能吸収体を維持する力を発生させる１対のサイドパネルと；を具備している。
【００１６】
【発明の実施の形態】
ここで用いられている「引上げ着用衣類（ｐｕｌｌ−ｏｎ  ｇａｒｍｅｎｔ）」とは、画定されたウエスト開口と１対の脚開口を有するものであり、両脚を脚開口に挿入し、この製品をウエストまで引張り上げて着用者の体に付ける着用製品のことを言う。「使い捨て可能（ｄｉｓｐｏｒｓａｂｌｅ）」という用語はここでは、洗濯したり、あるいは衣類として復元したり再使用したりするためのものではない衣類について記載するために用いられている（すなわち、これらはただ１回の使用後に捨てられるか、好ましくはリサイクルされるか、堆肥にされ、あるいは環境に優しい方法で処分されるためのものである）。「一体型（ｕｎｉｔａｒｙ）」引上げ着用衣類とは、統合された統一体を成すように一体化された別々の部品から形成されている引上げ着用衣類のことを言う。しかしながらサイドパネルは、少なくとも１つの層を含んでおり、この層がまた衣類の中央パネル又はシャシーを形成するという点で、個別のシャシーに結合された別々の要素ではない。（すなわちこの衣類は、別々に取扱いができるパネル、例えば別々のシャシーと別々のサイドパネルを必要としない）。この引上げ着用衣類はまた、好ましくは体内から排出される様々な排泄物を吸収し、かつ保持するために「吸収性がある（ａｂｓｏｒｂｅｎｔ）」ものである。本発明の引上げ着用衣類の好ましい実施の形態は、図１に示されている一体型使い捨て可能吸収性引上げ着用衣類、すなわち引上げ着用おむつ２０である。ここで用いられている「引上げ着用おむつ（ｐｕｌｌ−ｏｎ  ｄｉａｐｅｒ）」という用語は、尿及び便を吸収しかつ保持するための、乳幼児及びその他の失禁者が一般に着用する引上げ着用衣類のことを言う。しかしながら本発明はまた、その他の引上げ着用衣類、例えば排泄しつけ用パンツ、失禁ショーツ、女性の生理用衣類又はパンティ等にも適用されると理解すべきである。
【００１７】
図１は、本発明の引上げ着用おむつ２０の斜視図である。引上げ着用おむつ２０は、外側表面２２、外側表面２２と向かい合った内側表面２４、前部２６、後部２８、股部３０、及び前部２６と後部２８とをつなぎ合わせて脚開口３４とウエスト開口３６を形成する閉じ目（ｓｅａｍ）３２を有する。連続ベルト３８は、ウエスト開口３６の周りに形成される。連続ベルト３８は、動きによりフィット力を生じ、着用中の動きにより生じた力を分散させるような作用を行なう。したがって引上げ着用おむつ２０は、好ましくはシャシー層４０；第１ベルト層４２；第２ベルト層４４；前部２６の各サイドパネルに配置された弾力的伸長性ストレッチラミネートである、前部ストレッチラミネート４６；後部２８の各サイドパネルに配置された弾力的伸長性ストレッチラミネートである、後部ストレッチラミネート４８；及び前部２６と後部２８の両方に配置された弾性ウエスト部５０を備えている。引上げ着用おむつ２０はさらに、弾性脚部５２を備える。（もう１つの実施の形態において、開口又は通気孔（図示せず）は、最も好ましくは少なくとも引上げ着用おむつ２０のサイドパネルに備えられて通気性と換気を与える。）第１ベルト層４２と第２ベルト層４４（ベルト層）は好ましくは布様の外見を有する不織布ウェブであり、シャシー層４０は好ましくはプラスチックフィルムであり、この引上げ着用おむつ２０は、介護者及び着用者がウエストに衣服のような快適さと感触を得る一方で、股では保持が改善されていると感じられるという点において、独特の美的特徴を有する。
【００１８】
図１Ａは、図１の引上げ着用おむつ２０の広げられた非収縮状態での概略的な平面図であり、様々なパネルと互いに対しての位置関係が描かれている。「パネル（ｐａｎｅｌ）」という用語はここでは、引上げ着用おむつの１つの区域又は要素又はベルトを示すために使われている。（パネルは一般に明確な１つの区域又は要素であるが、多少は隣接するパネルと一致（機能的に対応）していてもよい。）引上げ着用おむつ２０は、主パネル５６と１対の脚フラップパネル５８を有する股部３０；ウエストバンドパネル６０と中間パネル６２とを含む中央パネル、サイドパネル６４、及び閉じ合わせパネル６６を含む前部２６；ウエストバンドパネル６０′と中間パネル６２′とを含む中央パネル、サイドパネル６４′、及び閉じ合わせパネル６６′を含む後部２８を有する。股部３０は、連続ベルト（その他のパネル）が出発する引上げ着用おむつ２０の部分である。吸収性コアは一般に、主パネル５６の中に配置される。これは、排泄物が一般にこの部位に排出されるからである。但し吸収性コアは一般に、ベルトの中間パネル６２及び６２′の中まで伸びている。脚フラップパネル５８は一般に、主パネル５６の各側縁６８から外側へ側面方向に伸びている。各脚フラップパネル５８は一般に、弾性脚部５２の少なくとも一部を形成する。連続ベルト（前部２６及び後部２８）は一般に、股部３０（主パネル５６及び脚フラップパネル５８）の各端縁６９から外側へ長手方向に伸びている。前部２６において、中央パネルの中間パネル６２は一般に、股部３０の一方の端縁６９から外側へ長手方向に伸びている。ウエストバンドパネル６０は一般に、中間パネル６２から外側へ長手方向に伸びている。サイドパネル６４は各々一般に、中央パネルから外側へ側面方向に伸びている。閉じ合わせパネル６６は各々一般に、各サイドパネル６４から外側へ側面方向に伸びている。後部２８において、中央パネルの中間パネル６２′は一般に、股部３０の他方の端縁６９から外側へ長手方向に伸びている。ウエストバンドパネル６０′は一般に、中間パネル６２′から外側へ長手方向に伸びている。サイドパネル６４′は各々一般に、中央パネルから外側へ側面方向に伸びている。閉じ合わせパネル６６′は各々一般に、各サイドパネル６４′から外側へ側面方向に伸びている。前部２６は、末端縁７０、脚縁７１、及び側縁７２をも有する。後部２８は、末端縁７０′、脚縁７１′、及び側縁７２′をも有する。股部３０は、脚縁７４を有する。
【００１９】
図１Ａから明らかなように、前部２６の２つのサイドパネル６４及び後部２８の２つのサイドパネル６４′の夫々は台形状をしている。そして、前部２６の２つのサイドパネル６４の夫々の台形状は、夫々のサイドパネル６４と夫々のサイドパネル６４に対応している前部２６の中間パネル６２及びウエストバンドパネル６０との境界線（図１Ａでは点線により示されている）により規定されている基縁と、この基縁から外側の側面方向に伸びた末端を規定している側縁７２（即ち、末端縁）と、上記基縁と上記側縁７２（即ち、末端縁）とを接続または連結するよう上記基端と上記側縁７２（即ち、末端縁）との間を伸びている前部２６の末端縁７０及び脚縁７１により規定されている２つの（即ち、第１及び第２の）横縁と、を有している。そして、ここにおいて２つの（即ち、第１及び第２の）横縁を規定している末端縁７０及び脚縁７１は相互に平行ではない。
【００２０】
図２は、図１の引上げ着用おむつ２０の広げられた非収縮状態における（すなわち、サイドパネル６４，６４′以外は、弾力による収縮した状態がなくされていて、サイドパネル６４，６４′はストレッチラミネート（前部ストレッチラミネート４６及び後部ストレッチラミネート４８）が弛緩状態におかれている。）、一部切り取られた平面図である。外側表面２２が見る人の側を向いており、前部２６と後部２８が閉じ目３２によって閉じ合わされる前の状態である。引上げ着用おむつ２０の外側表面２２は、使用中に着用者の体から離れて配置されている部分を含んでいる。示される実施の形態において、引上げ着用おむつ２０の外側表面２２は、前部２６に第１ベルト層４２、後部２８に第２ベルト層４４、及び股部３０にシャシー層４０を備える。（おむつの内側表面２４は、外側表面２２とは反対を向いており、使用中に着用者の体に隣接して配置されているおむつの部分である。）
図２に示された実施の形態において、シャシー層４０は、好ましくは前部２６、後部２８、及び股部３０を画定する連続シート又はウェブを含んでいる。したがってシャシー層４０は、引上げ着用おむつの主要層である。（ここで用いられている「層（ｌａｙｅｒ）」は、必ずしも単一材料層に限定されない。１つの層が実際には、必要な種類の材料シート又はウェブのラミネート又は組合わせを有していてもよいからである。）シャシー層４０は、内側表面７６（図２には示さず）と外側表面７７を有する。シャシー層４０の内側表面７６と外側表面７７は、向きが引上げ着用おむつ２０の内側表面２４と外側表面２２と対応している。
シャシー層４０は好ましくは前部２６、後部２８、及び股部３０を画定するので、シャシー層４０はまた、前記のような対応する部位及びパネルをも有する。（単純化のために、図面では、これらの部位及びパネルは、図１Ａに示される関連の引上げ着用おむつの部位及びパネルと同じ参照番号によって示される。）第１ベルト層４２は、前部２６において、シャシー層４０の外側表面７７に配置されており、前部２６を一方の側縁７２からもう一方の側縁７２まで連続的に側面方向に、末端縁７０から少なくとも脚縁７１まで長手方向に伸びている。第１ベルト層４２は好ましくはシャシー層４０へ結合されている。第２ベルト層４４は、後部２８においてシャシー層４０の外側表面７７に配置されており、後部２８を一方の側縁７２′からもう一方の側縁７２′まで連続的に側面方向に伸びており、末端縁７０′から少なくとも脚縁７１′まで伸びている。第２ベルト層４４は好ましくはシャシー層４０へ結合されている。したがって各ベルト層は、シャシー層４０と組合わされて、着用者のウエストの周りに連続ベルト（図１に示す通り）を形成する。以下に詳細に示されるように、このベルトは様々なゾーンにおいて様々な弾力的伸長性を有し、引上げ着用おむつ２０のフィットと保持を強化する。
【００２１】
弾力的伸長性があるストレッチラミネート（前部ストレッチラミネート４６及び後部ストレッチラミネート４８）が、前部２６と後部２８の両方の各サイドパネル６４，６４′に形成される。各前部ストレッチラミネート４６は少なくとも、サイドパネル６４にある第１ベルト層４２の部分と、これに結合された弾性パネル部材７８、及びこの特別な実施の形態においては、サイドパネル６４を形成するシャシー層４０の部分を有する。好ましくは弾性パネル部材７８は、シャシー層４０と第１ベルト層４２との間に配置され、より好ましくは末端縁７０から長手方向に、最も好ましくは脚縁７１まで伸びている。各後部ストレッチラミネート４８は少なくとも、各サイドパネルにある第２ベルト層４４の部分と、これに結合された弾性パネル部材７８′、及びこの特別な実施の形態においては、サイドパネルを形成するシャシー層４０の部分を有している。好ましくは弾性パネル部材７８′は、シャシー層４０と第２ベルト層４４との間に配置され、より好ましくは末端縁７０′から長手方向に、最も好ましくは脚縁７１′まで伸びている。図２に示される引上げ着用おむつ２０の実施の形態においては、各前部及び後部ストレッチラミネート４６，４８は好ましくはさらに、サイドパネル６４に表面シート８０の一部（バリア層）を備える。各前部及び後部ストレッチラミネート４６，４８は機械的にストレッチされるか又は延伸され（歪線によって示される）、これによって各前部及び後部ストレッチラミネート４６，４８は少なくとも側面方向へ弾力的伸長性を得ることができる。（側面方向（ｘ方向又は幅）は、引上げ着用おむつ２０の側面方向中心線に平行な方向として定義される。長手方向（ｙ方向又は長さ）は、長手方向中心線に平行な方向として定義される。軸方向（ｚ方向又は厚み）は、引上げ着用おむつ２０の厚みを通って伸びる方向として定義される。）
弾性ウエスト部５０は、前部２６、後部２８、あるいは好ましくは前部２６と後部２８の両方のウエストバンドパネル６０，６０′に備えられる。弾性ウエスト部５０は、弾力的伸長性部材、好ましくはギャザーの付いた弾力的に収縮しうる部材を備え、中央パネルにおいて着用者のウエストに合い、動的フィットを与える。示される実施の形態において、弾性ウエスト部５０は、好ましくは、ウエストバンドパネル６０，６０′において、弾力的に収縮しうる条件で好ましくは表面シート８０の主要層に作用可能に結合されている、一体型ウエストキャップ／ウエストバンド８２を備える。一体型ウエストキャップ／ウエストバンド８２は、引上げ着用おむつ２０のウエスト開口３６からの排泄物の漏れに対するバリアとして、同時に着用者のウエストの周りで引上げ着用おむつ２０のフィットを与えるための収縮性ウエストバンドとして作用する。最も好ましい実施の形態において、一体型ウエストキャップ／ウエストバンド８２も通気性があり、ウエスト開口３６の隣接位置で引上げ着用おむつ２０から水蒸気を逃がすことができる。
【００２２】
引上げ着用おむつ２０には弾性脚部５２も備えられ、股部３０において脚におけるフィットを改善する。引上げ着用おむつ２０はさらに、表面シート８０と吸収性コア８４も備え、この吸収性コア８４は表面シート８０とシャシー層４０との間に配置されており、これらは吸収性組立体を生じ、これは連続ベルト３８と共同作用を行なって排出された排泄物を封じ込める。開口又は通気孔（図示せず）が、通気性又は換気を行なうためにサイドパネル６４，６４′に配置されてもよい。
【００２３】
図３は、本発明の引き上げ着用おむつ２０の、図２の前部２６における線３−３に沿って切られた断面の斜視図である。図３ではシャシー層４０は、引上げ着用おむつ２０の主要層を形成しており、内側表面７６と外側表面７７を有する。第１ベルト層４２は、シャシー層４０の外側表面７７に配置されて、前部２６において引上げ着用おむつ２０の外側表面２２を形成する。弾性パネル部材７８は好ましくは、第１ベルト層４２とシャシー層４０との間に配置される。表面シート８０は、シャシー層４０の内側表面７６に配置され、これに結合されている。表面シート８０は好ましくは、液体透過性主要層８６と２つのバリア層８８を備える。これらのバリア層８８は、主要層８６から外側へ側面方向に側縁７２まで伸びている。各バリア層８８は、フラップ部分９０と立ち上がり部分９２を備える。立ち上がり部分９２は主要層８６へ取り付けられていないので、弾性スペーシング部材９４のギャザー力によって、立ち上がり部分９２は主要層８６の表面から立ち上がることができ、使用中にはバリア又は壁を形成する。フラップ部分９０は、立ち上がり部分９２（基縁）から外側へ側面方向に側縁７２まで伸びている。吸収性コア８４は好ましくは液体透過性主要層８６とシャシー層４０との間に配置される。後部２８の構成は、好ましくは前部２６の構成と同じである。
【００２４】
図４は、本発明の引上げ着用おむつ２０の広げられた非収縮状態における（すなわち、サイドパネル６４，６４′以外は、弾力による収縮した状態がなくされていて、サイドパネル６４，６４′はストレッチラミネート（前部ストレッチラミネート４６及び後部ストレッチラミネート４８）は弛緩状態にある）、一部切り取られた平面図である。引上げ着用おむつ２０の内側表面２４が見る人の側に向いており、前部２６と後部２８が閉じ目３２によって閉じ合わされる前である。体内からの排泄物を保持するのに必要な吸収性を与えるために、引上げ着用おむつ２０は、液体透過性表面シート８０と吸収性コア８４とを備え、この吸収性コア８４は液体透過性表面シート８０とシャシー層４０との間に配置される。図４に示された実施の形態において、液体透過性表面シート８０は好ましくは相互に結合された３つの異なる層から成る。液体透過性主要層８６は、吸収性コア８４の上に配置されて、液体をこの製品の中に素早く吸収する。バリア層８８は、主要層８６へ結合され、好ましくは延伸性があり、より好ましくは疎水性であり、これによってサイドパネル６４，６４′が綻びたり裂けたりせずに機械的にストレッチされうる一方で、引上げ着用おむつ２０の側に沿ってバリアカフスを与えることができる。バリア層８８は、フラップ部分９０及び通路又は立ち上がり部分９２を有し、弾性脚部５２の様々な要素を生じる。弾性脚部５２は好ましくはガスケットカフス及びバリアカフスを備える。ガスケットカフスは、好ましくは１つ又はそれ以上の弾性脚部部材９６から形成され、これらの弾性脚部部材９６はシャシー層４０、バリア層８８、又はこれら２つに作用可能に結合され、好ましくはシャシー層４０と、股部３０の脚フラップパネル５８におけるバリア層８８のフラップ部分９０との間で接着される。バリアカフスは、好ましくはフラップ（バリア層８８の立ち上がり部分９２）、立ち上がり部分９２の長手方向末端を主要層８６へ固定するための閉鎖手段９８、及び立ち上がり部分９２へ作用可能に結合された弾性スペーシング部材９４から形成される。
【００２５】
図１に示されている本発明の引上げ着用おむつ２０の構成において、連続ベルト３８が、ウエスト開口３６の周りに形成されている。この連続ベルト３８は、着用した時に、引上げ着用おむつ２０に動的フィット力を生じるように作用し、体内からの排泄物が負荷されたときでも着用者に引上げ着用おむつ２０の位置を保持し、したがって吸収性コア８４を着用者の非常に近い位置に保ち、着用中の動きにより生じた力をウエストの周りに分散させ、これによって、引上げ着用おむつ２０の中間パネル６２，６２′において吸収性コア８４を捲くれさせたり塊にしたりせずに吸収性コア８４に補助的サポートを与える。この連続ベルト３８は次のように設計されている。すなわち、いくつかのセグメントにおいて弾力的伸長性があり、少なくともウエスト開口３６の周りのその他のセグメントにおいて少なくとも弾性的伸長性があるように、好ましくは弾力的に収縮しうるように；脚開口３４の一部の周りで弾力的伸長性があるように；吸収性コア８４が位置している中間パネル６２，６２′において、ギャザーができたり塊になったりしないように設計されている。連続ベルト３８の弾力的伸長性はまた、「力／伸び壁（ｆｏｒｃｅ／ｅｘｔｅｎｓｉｏｎ  ｗａｌｌ）」を有し、連続ベルト３８はこの壁を超えては弾力的に伸びず、引上げ着用おむつ２０は着用がより容易になる。これは、引上げ着用おむつ２０が過度にストレッチせず、これによって引上げ着用おむつ２０を臀部の上に滑らせるのがより容易になるからである。この「力／伸び壁」は、自分で引上げ着用おむつ２０を身に付けようとしても、引き上げて完全ストレッチ性がある引上げ着用おむつ２０を臀部に付けることが十分にはできない小さな子供には特に重要である。この連続ベルト３８によって、吸収性コア８４を取囲む連続ベルト３８での着用応力をよりよくコントロールすることもできる。このような引上げ着用おむつ２０は、着用者のウエストの周りに合っている場合、さらにかさばりが少ない。吸収性コア８４の上の連続ベルト３８にギャザーと収縮が無いことと、吸収性コア８４の上の連続ベルト３８の連続性から、より良いフィットが生じることになる。これは、連続ベルト３８に発生したフープ応力（ｈｏｏｐ  ｓｔｒｅｓｓ）に基づいた連続的な垂直力が生じるからである。この力は、着用中に吸収性コア８４を体へ押し付ける傾向がある。したがって吸収性コア８４は、次のようなおむつよりも、より近くに、より快適に、よりずれが少ない方法で維持される。すなわち吸収性コアの区域に弾性収縮又はギャザーを生じるおむつ、又はスパン内に集中させスパンを通ってフープ応力を吸収性コアの区域の周りに分散させるためのベルトを備えないおむつよりも良い。
【００２６】
図１Ａに示されるように、前部２６と後部２８の両方にある連続ベルト３８は、ウエストバンドパネル６０及び６０′、及び中間パネル６２及び６２′を含む中央パネル、中央パネルの両側にあるサイドパネル６４及び６４′、及び各サイドパネル６４及び６４′にある閉じ合わせパネル６６及び６６′を含んでいる。サイドパネル６４，６４′は、弾力的伸長性があり、引上げ着用おむつ２０のサイド内にフィットを生じる。ウエストバンドパネル６０，６０′は弾力的伸長性があり、好ましくは弾力的に収縮可能であり、あるいはギャザーが付けられて、引上げ着用おむつ２０をウエスト開口３６の中央部によりよくフィットさせる。中間パネル６２，６２′は、使用中に吸収性コア８４の一体性を維持するためにギャザーは付けられていない。中間パネル６２，６２′は、図１〜図４に示された実施の形態において、ここに記載されているように弾力的伸長性があってもよい（しかしギャザーは付けられていない）が、中間パネル６２，６２′は好ましくは伸長性がない方がよい。連続ベルト３８は、下記のようにいくつかの異なる材料及び層から形成されていてもよい。連続ベルト３８は、閉じ合わせパネル６６及び６６′において両側が接合されている第１ベルト層４２と第２ベルト層４４を含んでいる。図１〜図４に示された実施の形態において、連続ベルト３８は好ましくはシャシー層４０の一部、ベルト層（前部２６にある第１ベルト層４２及び後部２８にある第２ベルト層４４）、サイドパネル６４，６４′にあるストレッチラミネート（前部ストレッチラミネート４６及び後部ストレッチラミネート４８）、及び各ウエストバンドパネル６０，６０′にある弾性ウエスト部５０を備える。好ましくは、ウエストバンドパネル６０及び６０′において連続ベルト３８にギャザーを付けるために、弾力的に収縮しうる条件で作用可能に結合された一体型ウエストキャップ／ウエストバンド８２を備える。
【００２７】
本発明の好ましい実施の形態において、シャシー層４０は一般に、引上げ着用おむつ２０の全体の形状を決定する。シャシー層４０は、引上げ着用おむつ２０の主要構造層としての作用を行ない、これにその他の部分を付け加えたり、結合したりしてもよい。したがってシャシー層４０は、引上げ着用おむつ２０の表面部の全部又は大部分に配置される。但しいくつかの実施の形態においては、シャシー層４０のいくつかの部分は、その区域において引上げ着用おむつ２０又は引上げ着用おむつ２０のいくつかの部分のストレッチ性及び／又は通気性を強化するために、開口があっても切り取られていてもよく、あるいは除去されていても（「窓が開けられていても（ｗｉｎｄｏｗｅｄ）」）よい。したがってシャシー層４０は好ましくは、連続シート又はウェブを備えている。このシート又はウェブには「継目（ｊｏｉｎｔ）」も閉じ目（ｓｅａｍ）も無く、したがって力は層全体に分散されて伝達される。前記のように、シャシー層４０の連続シート又はウェブは、材料の単一ウェブ又はいくつかの連続ウェブのラミネート又は種々の材料層を含んでいてもよい。シャシー層４０は、連続ベルト（ｂｅｌｔ）３８の一部を形成する。連続ベルト３８は、引上げ着用おむつ２０を着用者に保持するために必要な力／伸び性を与える一方で、伸びることによって、引上げ着用おむつ２０を着用しやすくする。シャシー層４０は外側表面２２、内側表面２４、又はこれらのどちらか又は両方を形成してもよく、あるいは全体が引上げ着用おむつ２０の内部に配置されていてもよい。図１〜図４に示される本発明の実施の形態において、シャシー層４０は好ましくは股部３０において、引上げ着用おむつ２０の外側表面２７を形成し、仕上げ着用おむつ２０の独特な美を生じる。
【００２８】
シャシー層４０の少なくとも一部は、サイドパネル６４，６４′に前部及び後部ストレッチラミネート４６，４８を生じさせるために、機械的ストレッチングに付されるので、好ましくはこれは伸張性があり、より好ましくは延伸性があり（しかしながら必ずしもエラストマー性でなくてもよい）、したがってシャシー層４０は、機械的ストレッチングを受けた時に少なくとも多少は永久に伸びたままになり、したがってもとの歪められていない形状には十分には戻らないものである。したがってシャシー層４０は、吸収性製品に使用されるものとして知られたあらゆる材料、例えば織布又は不織布ウェブ；ポリマーフィルム例えばポリエチレン、ポリプロピレン、又はこれらのブレンドの熱可塑性フィルム；このような材料のラミネート；又は複合材を備えていてもよい。好ましい実施の形態において、シャシー層４０は、最低限又はまったく破断又は裂けを伴なわずに機械的ストレッチングに付すことができる。したがってシャシー層４０は好ましくはポリマーフィルムである。
【００２９】
シャシー層４０は好ましくはポリマーフィルムであり、これはまた一般に液体（例えば尿）不透過性であり、したがってシャシー層４０は、吸収性コア８４に吸収されかつ保持された排泄物が、ベッドシーツ、下着などのように、引上げ着用おむつ２０と接触する衣類が濡れるのを防ぐ要素として働くことも可能である（すなわちこれは従来のおむつのバックシートとして作用する）。シャシー層４０が液体不透過性でないならば、一般に追加層例えば従来のバックシートを、吸収性コア８４の後に用いるべきである。シャシー層４０はまた、所望であれば通気性があってもよい（空気又は水蒸気に対して透過性がある）。特に第１及び第２のベルト層４２，４４、好ましくはバリア層８８は各々、力を伝える前部及び後部ストレッチラミネート４６，４８を強化するために延伸性不織布ウェブであるため、また股部３０においては高側面張力強度材料（ｈｉｇｈ  ｌａｔｅｒａｌ  ｔｅｎｓｉｌｅ  ｓｔｒｅｎｇｔｈ  ｍａｔｅｒｉａｌ）を要しないため、シャシー層４０はその代わり、通気性材料を備えていてもよい。この材料は微細孔質であり、一般には強度及び伸びが低い。このようなフィルムの例には、エクソン・ケミカル社（Ｅｘｘｏｎ  Ｃｈｅｍｉｃａｌ  Ｃｏｍｐａｎｙ）がエクサイア（ＥＸＸＡＩＲＥ）という商標名で製造しているものがある。本発明のシャシー層として用いられるフィルムであって、比較的良好な延伸性を有するが通気性がないフィルムの例には、オハイオ州シンシナティのクロペイ社（Ｃｌｏｐａｙ  Ｃｏｒｐｏｒａｔｉｏｎ）がクロンペイ（Ｃｌｏｐａｙ）１４０１という名称で製造しているポリマーフィルム、又はインディアナ州テレハウトのトレデガル社（Ｔｒｅｄｅｇａｒ）からＸ−８３２３又はＸ−９９５４という名称で販売されているフィルムがある。
【００３０】
シャシー層４０のサイズは、着用者のサイズによって決められ、引上げ着用おむつ２０は各着用者に合うように設計されている。好ましい実施の形態において、シャシー層４０は、着用者によりよくフィットするように修正された砂時計ガラスの形をしている。よちよち歩きの少し大きい幼児（約９ｋｇ〜約１５．４ｋｇ）に合うように設計された好ましい実施の形態において、シャシー層４０は好ましくは、前部２６と後部２８が長さ約４８３ｍｍ（約１９インチ）×幅約２３４ｍｍ（約９・１／４インチ）であり、股部３０は幅が約１６５ｍｍ（約６・１／２インチ）である。中央パネル（中間パネル６２，６２′及びウエストバンドパネル６０，６０′）は幅が１３５ｍｍ（約５・１／４インチ）であり、サイドパネルは幅が約４１ｍｍ（約１・５／８インチ）であり、サイドパネル６４，６４′の動きのある部分は、幅が約３２ｍｍ（約１・１／４インチ）であり、閉じ合わせパネル６６，６６′は幅が約８．５ｍｍ（約５／１６インチ）である。（閉じ合わせパネル６６，６６′の重なり合った実際の区域は、ここに示された好ましい実施の形態において約１１ｍｍである。）前部２６は長さ約１１４ｍｍ（約４・１／２インチ）、後部２８が長さ約１６５ｍｍ（約６・１／２インチ）であり、股部は長さ約２２０ｍｍ（約８・５／８インチ）である。
【００３１】
第１ベルト層４２と第２ベルト層４４は、好ましくはシャシー層４０とその他の要素と共に作用して、引上げ着用おむつ２０のウエスト開口３６の周りに連続ベルト３８を形成する。したがって好ましくは第１ベルト層４２と第２ベルト層４４は各々、「継目（ｊｏｉｎｔ）」も閉じ目（ｓｅａｍ）もない連続シート又はウェブを備えており、したがって力は第１ベルト層４２及び第２ベルト層４４の全体を通って分散して伝達される。（第１ベルト層４２と第２ベルト層４４の連続シート又はウェブは、単一ウェブ材料又はいくつかの連続ウェブのラミネート又は種々の材料の層を備えていてもよい。）第１ベルト層４２と第２ベルト層４４の材料はまた好ましくは、サイドパネル６４，６４′にある前部及び後部ストレッチラミネート４６，４８に強度を与え、材料を貼り合わせてラミネートにし、材料の過度の綻びも裂けも、ちぎれも無く機械的ストレッチングが可能になる。
【００３２】
図１〜図４に示された実施の形態において、第１ベルト層４２と第２ベルト層４４は好ましくはシャシー層４０の外側表面７７上に配置され、これに結合して、引上げ着用おむつ２０の外側表面２２の一部を形成する。しかしながら第１ベルト層４２と第２ベルト層４４は、シャシー層４０の内側表面７６に配置されてもよく、いくつかの実施の形態においては引上げ着用おむつ２０の内側表面２４の一部を形成してもよい。これらに代わりうる実施の形態のいくつかを次に記載する。第１ベルト層４２と第２ベルト層４４は、少なくともサイドパネル６４，６４′において、取り付け手段（図示せず）によってシャシー層４０に結合される。本明細書に適切な取り付け手段が記載されている。第１ベルト層４２と第２ベルト層４４は、引上げ着用おむつ２０の各ウエスト部（前部２６又は後部２８）を側面方向に連続して伸びており、ここに記載された連続ベルト３８を伴い、末端縁７０，７０′から股部３０まで長手方向に伸びている。あるいはまた第１ベルト層４２と第２ベルト層４４は、股部３０中へ長手方向に伸びて、引上げ着用おむつ２０のより多くの部分に衣類様の感触を与えてもよい。第１ベルト層４２と第２ベルト層４４が内側に長手方向に伸びて、股部３０においてこれらの間にギャップを残すようにし、ここに記載された美的長所を与えるのが好ましいが、所望であればこれらを重ね合わせて、全体に布様の外見と感触を与えてもよい。
【００３３】
第１ベルト層４２と第２ベルト層４４はサイドパネル６４，６４′において機械的ストレッチングに付されるので、第１ベルト層４２と第２ベルト層４４は好ましくは伸張性があり、より好ましくは延伸性があり（しかしながら必ずしもエラストマー性はなくてもよい）、過度にあるいは好ましくはまったく、裂けも綻びもないのがよい。さらには、第１ベルト層４２と第２ベルト層４４は好ましくは引上げ着用おむつ２０の外側表面２２に配置されるので、第１ベルト層４２と第２ベルト層４４はまた好ましくは柔軟性があり、感触が柔らかく、着用者の皮膚を刺激せず、引上げ着用おむつ２０に布製衣類のような感触と快適性を与えるものである。適切な第１ベルト層４２と第２ベルト層４４は、広い範囲の材料、例えばプラスチックフィルム；開口プラスチックフィルム；天然繊維（例えば木材繊維又は綿繊維）、合成繊維（例えばポリオレフィン、ポリアミド、ポリエステル、ポリエチレン、又はポリプロピレン繊維）、又は天然及び／又は合成繊維の組合わせの織布又は不織布ウエブ；又は被覆織布又は不織布ウエブから製造できる。好ましくは第１ベルト層４２と第２ベルト層４４は、合成繊維の不織布ウェブを含む。
【００３４】
典型的な不織布ウェブにおいて、ウェブの局部破断は、ウェブが機械的ストレッチングロールの間を通過する時に、ある部位に生じる。この破断は、不織布ウェブに必要な伸長性の欠如又は個々の繊維の延伸性の欠如から来るものであることもある。本発明の好ましい不織布ウェブは、高い伸長性があり、好ましくは個々の繊維が延伸されて、繊維間の結合が実質的に破断も破壊もされないものである。したがって第１ベルト層４２と第２ベルト層４４は、最も好ましくは、より延伸性の低い繊維を含む典型的な不織布ウェブと比較して、最小限の局部的裂けが生じるだけで、一般にさらに均一に伸びうる高い伸長性の不織布ウェブである。このような不織布ウェブの例として、ポリエチレン又はポリエチレン−混合（ｂｌｅｎｄ）繊維のスパンボンド（ｓｐｕｎｂｏｎｄ）ウェブがある。より好ましくは第１ベルト層４２と第２ベルト層４４は、ポリエチレン、ポリエチレンポリマー混合、又はポリエチレン／ポリプロピレンポリマー混合から製造される繊維のスパンボンドウェブから製造される。第１ベルト層４２と第２ベルト層４４として用いられるポリエチレン繊維のスパンボンド不織布ウェブは、例えばバージニア州ワイネスボロ（Ｗａｙｎｅｓｂｏｒｏ）のポリボンド社（Ｐｏｌｙｂｏｎｄ  Ｃｏ．）によって製造された♯８７２５７、ドイツのペイネ（Ｐｅｉｎｅ）のコロビン社（Ｃｏｒｏｖｉｎ）によって製造されたコロリンド（ＣＯＲＯＬＩＮＤ）１７１８４、又はサウスカロライナ州シンプソンビルのファイバーウェブ社（Ｆｉｂｅｒｗｅｂ）によって製造されたファイバーウェブ（Ｆｉｂｅｒｗｅｂ）Ｅ１００４２０４として入手できる。
【００３５】
連続ベルト３８は、サイドパネル６４及び６４′において弾力的伸長性があり、より快適で体の形に合ったフィットを与える。これは、当初から引上げ着用おむつ２０を着用者の体の形に合わせてフィットさせ、引上げ着用おむつ２０に排泄物が負荷されたずっとあとでも着用の間、このフィットを持続させるからである。この際、引上げ着用おむつ２０の側部が伸縮しうるので、ウエストと脚部の両方に沿って力を分散させるのである。サイドパネル６４，６４′はより良いフィットを与えるために、少なくとも一方向に、好ましくは側面方向にベクトル成分を有する方向に、より好ましくは側面方向に伸長性がある。しかしながら、サイドパネル６４，６４′は他のあらゆる方向又は一方向以上に伸長性があってもよいことに注目すべきである。さらにサイドパネル６４，６４′は、１つ又はそれ以上の別個の伸長性ゾーンを有していてもよい。
【００３６】
サイドパネル６４，６４′における弾力的伸長性は、いくつかの異なる材料及び形状によってもたらされてもよい。連続ベルト３８の様々な要素（例えば第１ベルト層４２と第２ベルト層４４又はシャシー層４０）は、通常の弾性材料を備えていてもよく、あるいは連続ベルト３８のサイドパネル６４，６４′は、いくつかの異なる弾性ラミネート構造から構成されていてもよい。例えば連続ベルト３８のサイドパネル６４，６４′は、例えば米国特許第３，８６０，００３号に記載されているような、弾力的に収縮しうる条件で１つ又はそれ以上の非弾性要素（第１ベルト層４２と第２ベルト層４４又はシャシー層４０又は両方）へ機能的に結合された弾性材料を備えていてもよい。この特許は、１９７５年１月１４日にブエル（Ｂｕｅｌｌ）に発行された、発明の名称が「使い捨て可能おむつ用の収縮しうるサイド部分」という特許であり、この特許の明細書の記載内容は、この特許がここに引用されることにより本願の明細書に組込まれる。あるいはまたサイドパネル６４，６４′は、国際公開（ＷＯ）第９５／０３７６５号に記載されているような、構造的弾性状フィルム（ＳＥＬＦ）ウェブを備えていてもよい。この特許は「弾性状挙動を示すウェブ材料」であり、１９９５年２月９日に公開されたプロクター・アンド・ギャンブル社（Ｔｈｅ  Ｐｒｏｃｔｅｒ  ＆  Ｇａｍｂｌｅ  Ｃｏｍｐａｎｙ）の特許であり、この特許の明細書の記載内容は、この特許がここに引用されることにより本願の明細書に組込まれる。連続ベルト３８のサイドパネル６４，６４′は、当業者において知られているいくつかの種々の伸長性又は弾性材料から構成されていてもよいが、連続ベルト３８のサイドパネル６４，６４′の１つ又はそれ以上、好ましくは各サイドパネル６４，６４′は、ストレッチラミネートから構成される。
【００３７】
ストレッチラミネート（前部ストレッチラミネート４６及び後部ストレッチラミネート４８）は、引上げ着用おむつ２０の一体型要素である（すなわちこれらは引上げ着用おむつ２０に固定された別々に取扱いうる要素ではなく、むしろ引上げ着用おむつ２０の様々な層（少なくとも第１ベルト層４２と第２ベルト層４４、好ましくはまたシャシー層４０）のうちの１つ又はそれ以上から形成されており、これらの延長部である。）好ましい実施の形態において、各ストレッチラミネート（前部ストレッチラミネート４６及び後部ストレッチラミネート４８）は、シャシー層４０の一部、各第１ベルト層４２と第２ベルト層４４の一部、シャシー層４０と第１ベルト層４２と第２ベルト層４４との間に配置された弾性パネル部材７８、及びバリア層８８の一部から形成される。
【００３８】
本発明の好ましい実施の形態において、弾性パネル部材７８は、サイドパネル６４，６４′において、好ましくはシャシー層４０と第１ベルト層４２と第２ベルト層４４との間で作用可能に結合され、これによって前部ストレッチラミネート４６と後部ストレッチラミネート４８は少なくとも側面方向に弾力的伸長性がある。ここで用いられている「弾力的伸長性がある」という用語は、引張り力（典型的にはサイドパネル６４，６４′については側面引張り力）が加えられた時、少なくとも１つの方向（好ましくはサイドパネル６４，６４′については側面方向）に伸び、引張り力が取り除かれたときに以前のサイズと形状にほぼ戻るセグメント又は部分を意味する。弾性パネル部材７８（特にゼロ歪ストレッチラミネート）としての使用に特に適していることが分っているエラストマー材料は、スチレンブロックコポリマーベースの弾性フィルムであり、好ましくは厚みが０．０５ｍｍ〜０．０６４ｍｍ（０．００２インチ〜０．００２５インチ）のものであり、例えばオハイオ州シンシナティのクローペイ・コーポレーション（Ｃｌｏｐａｙ  Ｃｏｒｐｏｒａｔｉｏｎ）からＰＡ１８−２８７０という名称で製造されているもの、あるいはテキサス州ベイタウンのエクソン・ケミカル（Ｅｘｘｏｎ  Ｃｈｅｍｉｃａｌ）社からのエクソン（Ｅｘｘｏｎ）５００シリーズ弾性フィルムがある。前記Ｐ１８−２８７０エラストマー材料の応力／歪（力／伸び）図表を図１２に示す。応力／歪図表は、約２３℃（室温）において、５０．８ｃｍ／分（２０インチ／分）の割合で加えられた歪又は伸びに付された時、サンプル幅１インチのあたりの力の曲線（グラム）の典型的な形状を示す。弾性パネル部材７８として用いられるためのその他の適切なエラストマー材料には、「弾力のある（ｌｉｖｅ）」合成又は天然ゴム、その他の合成又は天然ゴムフォーム、エラストマーフィルム（熱収縮性エラストマーフィルムを含む）、エラストマー織布又は不織布ウエブ、スクリム、エラストマー複合材等がある。
【００３９】
特に好ましい実施の形態において、弾性パネル部材７８は、実質的に引張りの無い状態（ゼロ歪）で、これらをシャシー層４０、第１ベルト層４２と第２ベルト層４４、又はその両方に固定することによって、サイドパネル６４，６４′において機能的に結合される。弾性パネル部材７８を含む、その結果生じた前部ストレッチラミネート４６と後部ストレッチラミネート４８の少なくとも一部は、次に前部ストレッチラミネート４６と後部ストレッチラミネート４８の非弾性要素（シャシー層４０、バリア層８８、及び第１ベルト層４２と第２ベルト層４４）を永久に延ばすのに十分な機械的ストレッチングに付す。ついで前部ストレッチラミネート４６と後部ストレッチラミネート４８は、その実質的に引張られていない状態に戻される。このようにしてサイドパネル６４，６４′は、「ゼロ歪」ストレッチラミネートに形成される。（あるいはまた弾性パネル部材７８は、引張られた状態で作用可能に結合され、ついで機械的ストレッチングに付されてもよい。但しこれは、「ゼロ歪」ストレッチラミネートほど好ましくはない。）ここで用いられている「ゼロ歪」ストレッチラミネートという用語は、少なくとも２つの材料プライから成るラミネートのことを言う。これらの材料は、実質的に引張られていない（「ゼロ歪（ｚｅｒｏ  ｓｔｒａｉｎ）」）状態で同一の広がりを持つ表面の少なくとも一部に沿って互いに固定されている。これらのプライの１つは、ストレッチ性エラストマー性材料を備えており（すなわち加えられた引張り力が解放された後で、実質的にその引張られていない大きさに戻る）、第２プライは、伸び性があり（しかしながら必ずしもエラストマー性ではない）、したがって第２プライをストレッチした時に、第２プライは少なくともある程度永久に伸びて、加えた引張り力を解放したときにそのもとの未変形形状に十分には戻らないものである。その結果生じたストレッチラミネートはこれにより、少なくとも当初ストレッチング点までは、当初ストレッチング方向に弾性的伸長性があるものにされる。ストレッチラミネートを製造するために用いられる特に好ましい方法及び装置には、要素を機械的にストレッチさせるためにメッシュ波形ロールが用いられる。特に好ましい装置及び方法は、１９９２年１２月１日にウェバーその他（Ｗｅｂｅｒ  ｅｔ  ａｌ．）に発行された米国特許第５，１６７，８９７号、１９９０年１０月２０日にブエルその他（Ｂｕｅｌｌｅｔ  ａｌ．）に発行された米国特許第５，１５６，７９３号、及び１９９２年９月１日にウェバーその他（Ｗｅｂｅｒ  ｅｔ  ａｌ．）に発行された米国特許第５，１４３，６７９号に開示されている。これらの特許の明細書の記載内容はこれらの特許がここに引用されることにより本願の明細書に組込まれる。
【００４０】
弾性パネル部材７８は、前部ストレッチラミネート４６と後部ストレッチラミネート４８において、シャシー層４０、第１ベルト層４２と第２ベルト層４４又はその両方に機能的に結合されてもよい。この際、断続的接着形状、又は実質的に連続接着形状が用いられる。ここで用いられている「断続的に（ｉｎｔｅｒｍｉｔｔｅｎｔｌｙ）」接着されたラミネートウェブとは、プライが当初から間隔をあけて配置された個別の点において互いに接着されているラミネートウェブ、又はプライが間隔をあけて配置された個別の区域において実質的に互いに接着されていないラミネートウェブを意味する。逆に、「実質的に連続して（ｓｕｂｓｔａｎｔｉａｌｌｙ  ｃｏｎｔｉｎｕｏｕｓｌｙ）」接着されたラミネートウェブとは、プライが当初からインターフェース区域全体において実質的に連続して互いに接着されているラミネートウェブを意味する。前部ストレッチラミネート４６と後部ストレッチラミネート４８が前部ストレッチラミネート４６と後部ストレッチラミネート４８の全部又はかなりな部分において接着されて、非弾性ウェブ（第１ベルト層４２と第２ベルト層４４、シャシー層４０、及びバリア層８８）が破断を引起こさずに伸びるか又は延伸し、かつ前部ストレッチラミネート４６と後部ストレッチラミネート４８の層がインクリメンタル（ｉｎｃｒｅｍｅｎｔａｌ）な機械的ストレッチング操作後、好ましくは前部ストレッチラミネート４６と後部ストレッチラミネート４８の層全部を互いに比較的密着させて維持する形状において接着されるのが好ましいが、弾性パネル部材７８及び前部ストレッチラミネート４６と後部ストレッチラミネート４８のその他のプライは、接着剤を用いて実質的に連続的に互いに接着される。特に好ましい実施の形態において、選定された接着剤は、坪量約０．００１１６グラム／平方ｃｍ（０．００７５グラム／平方インチ）で、スパイラルパターンで塗布される（例えば米国特許第３，９１１，１７３号（スプラーグ・ジュニア（Ｓｐｒａｇｕｅ，Ｊｒ））及び米国特許第４，８４２，６６６号（レニッチ（Ｗｅｒｅｎｉｃｚ））に示されている）。スパイラルは、幅が約１．９ｃｍ（０．７５インチ）であり、どちらも互いのまさに隣に配置されるか、あるいは少し重なり合う（２ｍｍより少ない）。接着剤は好ましくは、フィンドリー・アドヒーシブ社（Ｆｉｎｄｌｅｙ  Ａｄｈｅｓｉｖｅｓ）からＨ２１２０という名称の接着剤が入手できる。あるいは弾性パネル部材及びストレッチラミネートの他の要素は、加熱接着、圧力接着、超音波接着、動的機械的接着、あるいは当業界において知られたその他のあらゆる方法を用いて、断続的に又は連続して互いに接着されてもよい。
【００４１】
伸長力（ｅｘｔｅｎｓｉｏｎ  ｆｏｒｃｅ）、伸長モジュラス（ｅｘｔｅｎｓｉｏｎ  ｍｏｄｕｌｕｓ）、及び有効ストレッチ（ａｖａｉｌａｂｌｅ  ｓｔｒｅｔｃｈ）（伸長（ｅｘｔｅｎｓｉｏｎ））を含む伸長特徴（ｅｘｔｅｎｓｉｏｎ  ｃｈａｒａｃｔｅｒｉｓｔｉｃ）；及びストレッチラミネートの収縮力と収縮率は、ストレッチラミネートと引上げ着用おむつの両方の性能において、重要な考慮事項であることが分った。伸長性及びフィット力は、着用させる者と着用者に、使用中に全体として感知される「ストレッチ性（ｓｔｒｅｔｃｈｉｎｅｓｓ）」を与える。これらの特性の作用によって同様に、着用させる者は適切な程度の着用ストレッチ性を得ることができる（すなわち、着用させている間に「普通に（ｎｏｒｍａｌｌｙ）」感知される引上げ着用おむつの引張りの場合、生じるストレッチの総量は、フィットの良好な適合性の獲得／維持のために望まれるものである）。比較的高い伸長モジュラス／力を備えたストレッチラミネートは、着用者の皮膚に赤い痕を付けることがあるが、比較的低い伸長モジュラス／力を備えたストレッチラミネートは、着用者に弛み／滑り落ちを引起こすことがある。有効なストレッチがあまりに小さいストレッチラミネートは、適切なレベルの体への適合を与えることはできず、引上げ着用おむつを着用するのを不快にし、着用しにくくすることがある。非常に低い収縮力（又は過度の弾性クリープ、過度の弾性力の弛緩、又は過度に非弾性的な「セット（ｓｅｔ）」）を備えたストレッチラミネートは、着用者の所定の位置に止まることができず、着用者に付けられている時に弛んだり滑り落ちたりする傾向があり、その結果フィットも保持も悪くなることがある。
【００４２】
本発明の前部ストレッチラミネート４６と後部ストレッチラミネート４８の場合、伸長力及び伸長モジュラスの伸長特徴は、好ましくは規定範囲にあることが分った。図１３は、本発明の好ましい（非換気）ストレッチラミネートに関する２回の伸長／回復行程の伸長／力応答曲線を示す。サンプルストレッチラミネートを、約２３℃において、５０．８ｃｍ／分（２０インチ／分）の割合で、１回目の引張りすなわち伸長に付し、３０秒間２００％の伸長に維持する。ついでサンプルを同じ割合で弛緩させる。サンプルは、１分間非束縛状態のままにされ、その後に同じ割合及び条件で２回目の引張りすなわち伸長に付す。当初の引張り伸長力は好ましくは、１００％伸長において、約１００グラム／インチ又はこれ以上である。より好ましくは、着用者に最もよくフィットさせるためには、１００％の伸長において、当初の引張り伸長力は、約１５０〜約２２５グラム／インチであり、最も好ましくは約１６０〜２００グラム／インチである。２００％の伸長においては、当初の引張り伸長力は、好ましくは約２００〜約４００グラム／インチであり、より好ましくは約２４０〜約３２０グラム／インチである。着用範囲内（２０％〜１４０％伸長）のストレッチラミネートの２回目の回復力は、好ましくは回復時に約２５〜約２００グラム／インチであり、より好ましくは約６０〜約１５０グラム／インチである。これらの値は伸長・回復後の正常な装着力に相当する。
【００４３】
力の壁（ｆｏｒｃｅ  ｗａｌｌ）は、力が伸長の増加につれてより急速に増大する伸長曲線の部分である。力の壁によって、ベルトのさらなる過度のストレッチングを伴なわずに、さらに着用させる力が大きくなる。この結果、特に自分で着用する場合、この衣類の着用がさらに容易になる。力の壁は、４００グラム／インチよりも大きい力において達成される。したがってストレッチラミネートの場合、所望の最大設計伸長を超える、５０％又はそれ以下の伸長におけるインクリメンタルな増加は、４００グラム／インチ以上の力を生じる。図１４に示されているように、ストレッチラミネートの力の壁は、一般に約２００％伸長（このストレッチラミネートの所望の最大設計伸長）より大きい点において達成される。２００％〜２５０％の伸長から５０％の伸長の増加は、４００グラム／インチより大きい力を生じる。
【００４４】
有効ストレッチとは、着用中に着用者の体に合うように可逆的にストレッチする、ストレッチラミネートにおいて有効な材料の最大量のことである。したがって有効ストレッチ量は、おむつを着用させる者がおむつを着用者にフィットさせるのに利用できる伸びの最大量に関するものである。さらには、引上げ着用おむつを着用者の体に合わせるのに利用できる回復可能な伸びの最大量にも関している。有効ストレッチは、下記等式：（（ストレッチされた長さ−もとの長さ）／もとの長さ）×１００から計算される。ストレッチラミネートを用いて引上げ着用おむつの着用に要する有効ストレッチの最小量は、好ましくは少なくとも約７５％、好ましくは少なくとも１００％の有効ストレッチであり、有効ストレッチは好ましくは１００％〜２５０％、最も好ましくは約２００％である。
【００４５】
連続ベルト３８も、中央パネル（中間パネル６２，６２′とウエストバンドパネル６０，６０′）において、好ましくは少なくとも各ウエストバンドパネル６０及び６０′において、吸収性コア８４から外側へ長手方向に好ましくは弾力的伸長性がある。弾力的伸長性は、弾性ウエスト部５０によって与えられる。弾性ウエスト部５０は、弾力的伸長性があり、好ましくは弾力的に収縮しうる部材を少なくとも側面方向に備え、サイドパネル６４，６４′の前部ストレッチラミネート４６と後部ストレッチラミネート４８とウエストバンドパネル６０，６０′の弾性ウエスト部５０を含む連続ベルト３８の一部を生じ、着用者のウエストに動的にフィットしかつこれに合い、改善されたフィットを与える。したがってウエスト開口３６に沿う力のラインは、ウエストバンドパネル６０，６０′の弾性ウエスト部５０を通り、サイドパネル６４，６４′の前部ストレッチラミネート４６と後部ストレッチラミネート４８の上部を通って解消される。したがって弾性ウエスト部５０は一般に、末端縁７０，７０′から吸収性コア８４の縁まで伸びる連続ベルト３８の部分である。弾性ウエスト部５０は、好ましくは弾力的に収縮性があるものであり、ウエストバンドパネル６０，６０′に吸収性コア８４から外側へ長手方向にギャザーを付けて、中央パネル（中間パネル６２，６２′とウエストバンドパネル６０，６０′）における衣類のフィットを次第に減らし、着用者によりよくフィットさせる。
【００４６】
弾性ウエスト部５０は、少なくともベルト層（第１ベルト層４２及び第２ベルト層４４）の延長部を有するが、好ましくは引上げ着用おむつ２０のその他の要素の１つ、例えばシャシー層４０又は表面シート８０又はこれらの要素のあらゆる組合わせを単独に（これらの層の１つが伸長性があるか、又は収縮性がある場合）、又はこれに結合された弾性材料と共に有する。弾性ウエスト部５０は、前部ストレッチラミネート４６と後部ストレッチラミネート４８に関してここに記載されたものを含むいくつかの種々の形状で構成されてもよい。例えば１９８５年５月７日にキエビト（Ｋｉｅｖｉｔ）及びオスターハゲ（Ｏｓｔｅｒｈａｇｅ）に発行された、発明の名称が「弾力的に収縮しうるウエストバンドを備えた使い捨て可能おむつ」という米国特許第４，５１５，５９５号、及び１９９２年９月２９日にブエル（Ｂｕｅｌ）ｌ、クリアー（Ｃｌｅａｒ）及びファルコン（Ｆａｌｃｏｎｅ）に発行された、発明の名称が「予め配置された弾力的フレックスヒンジを有する動的弾性ウエスト部を備えた吸収体」という米国特許第５，１５１，０９２号に記載された、あるいは当業界において知られた弾性ウエストバンド；及び前記国際公開（ＷＯ）第９５／０３７６５号に記載された構造弾性状フィルム（ＳＥＬＦ）ウェブから製造された弾性ウエストバンドである。これらの文献の明細書の記載内容は、これらの文献がここに引用されることにより本願の明細書に組込まれる。
【００４７】
図４に示されている本発明の好ましい実施の形態において、弾性ウエスト部５０は、一体型ウエストキャップ／ウエストバンド８２を備えている。これは、表面シート８０上に配置され、弾力的に収縮しうる条件で表面シート８０と機能的に結合され、引上げ着用おむつ２０のウエストバンドパネル６０及び６０′にギャザーを付ける。この一体型ウエストキャップ／ウエストバンド８２は、好ましくは不織布カバーストック層、エラストマー層、より好ましくは第２不織布カバーストック層のラミネートを含んでいる。ここで用いられる一体型ウエストキャップ／ウエストバンド８２の一例が、１９９１年６月２５日にロバートソン（Ｒｏｂｅｒｔｓｏｎ）に対し発行された、発明の名称が「一体型ウエストキャップとウエストバンドを有する吸収体」という米国特許第５，０２６，３６４号に開示されている。この特許の明細書の記載内容は、この特許がここに引用されることにより本願の明細書に組込まれる。エラストマー層は好ましくはエクソン・ケミカル社（Ｅｘｘｏｎ  Ｃｈｅｍｉｃａｌ）によってエクソン（Ｅｘｘｏｎ）５００という名称で販売されているエラストマーフィルムである。これは約５０％〜１００％の予歪（ｐｒｅｓｔｒａｉｎ）までストレッチされる。引上げ着用おむつ２０の中央パネル（中間パネル６２，６２′とウエストバンドパネル６０，６０′）において表面シート８０と作用可能に結合された時、この一体型ウエストキャップ／ウエストバンド８２は引上げ着用おむつ２０の下層と共に、６７％（この特別な実施の形態では１インチ）までストレッチされた場合、好ましくは約１００グラム／インチ〜約３００グラム／インチ、より好ましくは約１５０グラム／インチ〜約２００グラム／インチの伸び力を生じる。この好ましい実施の形態において、一体型ウエストキャップ／ウエストバンド８２はまた、少なくとも３７ｍｍ（１・１／２インチ）の収縮（すなわち製品全体において、７６ｍｍ（３インチ）の収縮）を生じ、引上げ着用おむつ２０の上部においてフィットを次第に減らす。特に好ましい実施の形態において、一体型ウエストキャップ／ウエストバンド８２は通気性があり、水蒸気を引上げ着用おむつ２０の前部２６及び後部２８から逃がすことができる。その構成として比較的通気性のある材料を選ぶことによって、及び／又はサイドパネル６４，６４′における前部ストレッチラミネート４６と後部ストレッチラミネート４８に関して本明細書において議論されたように、ウエストキャップ／ウエストバンド８２に開口を作るかあるいは換気することによって、一体型ウエストキャップ／ウエストバンド８２に通気性を備えることもできる。
【００４８】
連続ベルト３８の中間パネル６２及び６２′は、使用中に吸収性コア８４が塊になったり捲くれたりすることがないように、ギャザーが付けられていない。図１〜図４に示されている実施の形態において、中間パネル６２及び６２′はまた、好ましくは吸収性コア８４の統合性を維持するために、伸長性があるものではない。あるいはまた、中間パネル６２，６２′は弾力的伸長性があるものにされてもよいが、ギャザーを付けることはできない。この際、中間パネル６２，６２′を形成するために、伸長性はあるが収縮性のない材料を用いる。例えば中間パネル６２，６２′は、ここでサイドパネル６４，６４′に用いられるようなゼロ歪ストレッチラミネートを備えていてもよい。あるいはまた前記の国際公開（ＷＯ）第９５／０３７６５号に記載されている構造弾性状フィルム（ＳＥＬＦ）ウェブを備えていてもよい。この文献の明細書の記載内容は、この文献がここに引用されることにより本願の明細書に組込まれる。中間パネル６２，６２′が伸長性があるものにされている場合、吸収性コア８４の統合性を維持し、かつ中間パネル６２，６２′の伸長性を制限しないように、吸収性コア８４は「浮く（ｆｌｏａｔ）」ことができる（吸収性コア８４を中間パネル６２，６２′に固定しない）ことが好ましい。
【００４９】
閉じ合わせパネル６６及び６６′は、画定されたウエスト開口３６と脚開口３４を形成するために、製造業者によって閉じ合わされるか接着されるように設計されている連続ベルト３８の部分である。図１Ａに示されているように、閉じ合わせパネル６６及び６６′は、各サイドパネル６４及び６４′から側縁７２又は７２′まで、外側へ側面方向へ伸びており、一般に末端縁７０又は７０′から、各々脚縁７１又は７１′まで長手方向に伸びている。閉じ合わせパネル６６，６６′は好ましくはシャシー層４０及びその他の要素、例えば第１ベルト層４２と第２ベルト層４４及び表面シート８０の延長部であるか、又はこれらの要素のその他のあらゆる組合わせである。好ましい実施の形態において、各閉じ合わせパネル６６，６６′は、シャシー層４０、第１ベルト層４２と第２ベルト層４４、弾性パネル部材７８，７８′、及び表面シート８０のバリア層８８の部分から形成されている。（閉じ合わせパネル６６，６６′において、前部ストレッチラミネート４６と後部ストレッチラミネート４８は好ましくは、機械的ストレッチングによって活性化されない。但し所望であれば、この部位に追加の伸長性が与えられてもよい。）
図１を参照した場合、閉じ目３２は、好ましくは前部２６の閉じ合わせパネル６６と後部２８の閉じ合わせパネル６６′とを接着させて形成する。閉じ目３２は、いくつかの異なる方法で形成されてもよい。例えば閉じ目は、外側へ伸びる閉じ合わせパネルの部分を接着させて、外側に伸びるフィン閉じ目を形成し、内側に伸びる閉じ合わせパネルの部分を接着させて、内側に伸びるフィン閉じ目を形成して作ることができる。閉じ合わせパネルは、重ね合わせ、接着させてラップ閉じ目（ｌａｐ  ｓｅａｍ）を形成してもよく、あるいは閉じ合わせパネルは、当業界において知られたその他のあらゆる閉じ合わせ形態を用いて、例えばフランジレス側部閉じ目を用いて接着されてもよい。フランジレス側部閉じ目の一例は、１９９３年８月１７日にラッセル・ピー・ブリッジス（Ｒｕｓｓｅｌｌ  Ｐ．Ｂｒｉｄｇｅｓ）に発行された、発明の名称が「融解スリット側部閉じ目を有する使い捨て可能排泄しつけ用パンツ」という米国特許第５，２３６，４３０号に開示されている。この特許の明細書の記載内容は、この特許がここに引用されることにより本願の明細書に組込まれる。本発明の閉じ目の接着は、閉じ合せパネルに用いられる特定の材料に適した、当業界においてよく知られているあらゆる適切な手段によって行なうことができる。したがって、音波密封、加熱密封、圧力接着、接着剤接着、縫合、自己加熱接着等が適切な方法であろう。
【００５０】
本発明の好ましい実施の形態において、引上げ着用おむつ２０は、前部２６の閉じ合せパネル６６を、後部２８の閉じ合せパネル６６′と重ね合わせてラップ閉じ目を作って形成される。閉じ合せパネル６６，６６′は好ましくは、図１１に示されている如く、熱／圧力パターン又は超音波溶接によって結合される。この特別な閉じ目において、接着パターンは、２列の楕円形接着を含んでいる。全体の接着閉じ目幅Ｗは、約１１ｍｍ（約．４３７５インチ）の閉じ合せパネルの全体の重複部Ｘを基礎として約６ｍｍ（約０．２４０インチ）である。各接着部は、幅ｗが約２．５ｍｍ（約．１インチ）、高さｈが約１ｍｍ（約．０４インチ）である。接着部は、各列において、中心間が互いに約２ｍｍ（約０．０８インチ）の空間ｓがあけられている。そのほかのパターン、大きさ、及び間隔も考えられる。前部２６のサイドパネル６４における第１ベルト層４２、シャシー層４０の一方の端部、弾性パネル部材７８の一部、バリア層８８の一方の端部、後部２８のサイドパネル６４′における第２ベルト層４４、シャシー層４０の他方の端部、弾性パネル部材７８′の一部、及びバリア層８８の他方の端部の融解によって、閉じ目３２は非常に強くなり、引上げ着用おむつ２０を着用する際又は着用中に、綻びも裂けも生じない。
【００５１】
閉じ合せパネル６６，６６′において、ポリマー材料をある量だけ増して、潜在的に強い閉じ目を製造することもできる。閉じ合せパネル６６，６６′におけるポリマー材料の量は、より高い坪量の不織布材料、より厚いプラスチックフィルムを使用するか、あるいは閉じ合せパネル６６，６６′に追加材料層を導入することによって増すことができる。例えば追加のプラスチックフィルム又は不織布ウェブを閉じ合せパネル６６，６６′において結合させてもよい。あるいはまた引上げ着用おむつ２０を形成する層は、閉じ合せ予定区域以上に延ばされてもよく、閉じ合せパネル６６，６６′に追加層を導入するために、閉じ合せパネル６６，６６′の中にこれを折り返してもよい。このような種類の閉じ目の例は、前記米国特許第５，２３６，４３０号において論じられている。
【００５２】
連続ベルト３８のほかに、引上げ着用おむつ２０は、シャシー組立体（主パネル５６及び脚フラップパネル５８）を有する。これは着用者の脚の間に伸びており、これによって股部３０を画定している。股部３０は一般に、少なくとも１つの外側カバー層と、好ましくは吸収性コア８４をも備えている。図１〜図４に示された実施の形態において、外側カバー層はシャシー層４０と表面シート８０を有する。シャシー組立体はさらに好ましくは弾性脚部５２を備える。
【００５３】
弾性脚部５２によって、股部３０と一般に脚開口３４の周りにおいて、液体及びその他の体内からの排泄物の保持が改善される。各弾性脚部５２は、脚フラップパネル５８において、体内からの排泄物の漏れを減らすためにいくつかの異なる実施の形態を備えていてもよい（弾性脚部５２は、脚部バンド、サイドフラップ、バリアカフス、あるいは弾性カフスと呼ばれてもよく、そう呼ばれることもある）。１９７５年１月１４日にブエル（Ｂｕｅｌｌ）に発行された、発明の名称が「使い捨て可能おむつ用の収縮性サイド部分」という米国特許第３，８６０，００３号には、サイドフラップと１つ又はそれ以上の弾性パネル部材を有する収縮性脚開口を備えて、弾性脚部カフス（ガスケットカフス）を生じる使い捨て可能おむつについて記載されている。１９９０年３月２０日にアジズ（Ａｚｉｚ）及びブラネイ（Ｂｌａｎｅｙ）に発行された、発明の名称が「弾性フラップを有する使い捨て可能吸収体」という米国特許第４，９０９，８０３号には、脚部の保持を改善するために、「立ち上がった（ｓｔａｎｄ−ｕｐ）」弾性フラップ（バリアカフス）を有する使い捨て可能おむつについて記載されている。１９８７年９月２２日にローソン（Ｌａｗｓｏｎ）に発行された、発明の名称が「二重カフスを有する吸収体」という米国特許第４，６９５，２７８号には、ガスケットカフスとバリアカフスとの二重カフスを有する使い捨て可能おむつについて記載されている。１９８９年１月３日にドラゴー（Ｄｒａｇｏｏ）に発行された、発明の名称が「漏れ耐性二重カフスを有する吸収体」という米国特許第４，７９５，４５４号には、漏れ耐性二重カフスを有する使い捨て可能おむつであって、表面シートがあるのでおむつの側縁がなくてもよく、衣類の側部へ滲み出るのを防ぐおむつについて開示している。これらの特許の明細書の記載内容は、これらの特許がここに引用されることにより本願の明細書に組込まれる。各弾性脚部は、前記の脚部バンド、サイドフラップ、バリアカフス又は弾性カフスと似た形状にされていてもよいが、各弾性脚部は、ガスケットカフスとバリアカフスとの組合わせを備えているのが好ましい。ガスケットカフスとバリアカフスは、好ましくはドラゴー（Ｄｒａｇｏｏ）の特許に示されているように、またこの明細書に記載されているように形成される。
【００５４】
本発明のもう１つの実施の形態において、脚フラップパネル５８は、前記国際公報（ＷＯ）第９５／０３７６５号に記載されているような構造弾性状フィルム（ＳＥＬＦ）ウェブを含んでいてもよい。脚フラップパネル５８のこのＳＥＬＦウェブは、側面方向に伸長性がある。ＳＥＬＦウェブを、ガスケットカフスを形成する弾性脚部部材９６の隣に、又はその上に、又はその外側に備えることによって、引上げ着用おむつ２０には、重い負荷によりさらに空の容積ができたために広がる必要が生じた場合に広がりうる脚部隣接区域が与えられ、同時に、ずれにより脚に生じる漏れの可能性を減じるようにぴったりとしたフィットが与えられる。引上げ着用おむつ２０に負荷がかかり重くなるにつれて、重力によって、伸長性のある脚フラップパネル５８が側面方向に広がるので、ガスケットカフスが重みで下方に引張られて脚からずり落ちる代わりに、このように広がるので脚のずれが減る。その結果、ガスケットカフスの作用は、吸収性コア８４から独立したものになり、したがってよりよいフィットと封じ込めが生じる。さらにはＳＥＬＦウェブにより、ガスケットカフスにおける製品の柔らかさが増し、全体的に赤ちゃんに優しい美しさが生じる。実際、主パネル５６は所望であれば、柔らかさと封じ込め特性を与えるＳＥＬＦウェブを含んでいてもよい。あるいはまた脚フラップパネル５８は、ＳＥＬＦウェブ、又は機械的にストレッチされたラミネートを含んでいてもよい。これは、長手方向に伸長性があり、脚開口３４に長手方向の伸長性を与え、これによって脚の大きい着用者にもフィットしうる。
【００５５】
吸収性コア８４は好ましくは、シャシー層４０の内側表面７６に隣接した配置され、好ましくは当業者においてよく知られたもののような取り付け手段（図示せず）によってこれに結合される。例えばシャシー層４０は、均質連続接着剤層、パターン接着剤層、又は１列の別々の接着剤ライン、スパイラル、又はスポットによって、吸収性コア８４に固定されてもい。満足すべきものであることが分っている接着剤は、ウイスコンシン州ワウワントサ（Ｗａｕｗａｕｔｏｓａ）のフィンドリー・アドヒーシブ社（Ｆｉｎｄｌｅｙ  Ａｄｈｅｓｉｖｅｓ）によって製造され、フィンドリー（Ｆｉｎｄｌｅｙ）Ｈ２１２０として販売されているものである。取り付け手段は好ましくは、１９８６年３月４日にミネトラ（Ｍｉｎｅｔｏｌａ）及びタッカー（Ｔｕｃｋｅｒ）に発行された、発明の名称が「排泄物保持使い捨て可能衣類」という米国特許第４，５７３，９８６号に開示されている、接着剤フィラメントの開放配列網目構造（ｏｐｅｎ  ｐａｔｔｅｒｎ  ｎｅｔｗｏｒｋ）を含んでいる。この特許の明細書の記載内容は、この特許がここにに引用されることにより本願の明細書中に組込まれる。フィラメントの開放配列網目構造の取り付け手段の例には、スパイラルパターンに渦巻き状に入れられた接着剤フィラメントのいくつかのラインが含まれる。例えば下記の特許に記載された装置及び方法に示されているものである。すなわち、１９７５年１０月７日にスプラーゲ・ジュニア（Ｓｐｒａｇｕｅ，Ｊｒ）に発行された米国特許第３，９１１，１７３号、１９７８年１１月２２日にジェッカーその他（Ｚｉｅｃｋｅｒ  ｅｔ  ａｌ．）に発行された米国特許第４，７８５，９９６号、及び１９８９年６月２７日にレニッチ（Ｗｅｒｅｎｉｃｚ）に発行された米国特許第４，８４２，６６６号である。これらの特許の明細書の記載内容は、この特許がここにに引用されることにより本願の明細書中に組込まれる。あるいはまた取り付け手段は、熱接着、圧力接着、超音波接着、動的機械的接着、又はその他のあらゆる適切な取り付け手段、あるいは当業界において知られたこれらの取り付け手段の組合わせであってもよい。
【００５６】
吸収性コア８４は、どんな吸収性手段であってもよいが、一般に圧縮でき、形に沿うことができ、着用者の皮膚に刺激を与えず、尿やその他のある種の体内からの排泄物のような液体を吸収・保持しうるものである。吸収性コア８４は、様々なサイズ及び形状（例えば長方形状、砂時計ガラス形状、「Ｔ」字形状、非対称形状等）として製造されてもよく、使い捨て可能おむつ及びその他の吸収体において通常使用される、非常に様々な液体吸収性材料、例えば一般にエアフェルト（ａｉｒｆｅｌｔ）と呼ばれる微粉砕木材パルプから製造されてもよい。その他の適切な吸収性材料の例として、ひだ付きセルロース詰綿、コフォーム（ｃｏｆｏｒｍ）を含む溶融吹き込みポリマー（ｍｅｌｔｂｌｏｗｎ  ｐｏｌｙｍｅｒ）、架橋セルロース繊維、ティシューラップ（ｔｉｓｓｕｅ  ｗｒａｐ）を含むティシュー、吸収性発泡体、吸収性スポンジ、超吸収性ポリマー、吸収性ゲル化材料、又はあらゆる同等の材料又は材料の組合わせがある。吸収性コア８４の形状及び構成もまた様々なものであってよい（例えば吸収性コア８４は、様々な厚さ（ｃａｌｉｐｅｒ）ゾーン、疎水性勾配、超吸収性勾配、又は低い平均密度及び低い平均坪量受入れゾーンを有していてもよい。あるいは１つ又はそれ以上の層又は構造を備えていていてもよい。）しかしながら吸収性コア８４の総吸収容量は、引上げ着用おむつ２０の設計負荷及び用途と相容れるものでなければならない。さらには吸収性コア８４のサイズ及び吸収容量は、乳幼児から大人までの様々な着用者に合うように多様なものであってもよい。
【００５７】
吸収性コア８４の好ましい実施の形態は、非対称形状、修正された砂時計ガラス形状であり、着用者の体側の体側表面（内側表面）及び体側表面とは反対側の衣類側表面を有する。広く受入れられ、商業的にも成功を収めた本発明の吸収性コア８４として用いられる吸収性構造の一例は、１９９４年１１月１日にコック（Ｃｏｏｋ）、ラッシュ（Ｌａｓｈ）、ムーア（Ｍｏｏｒｅ）及びヤング（Ｙｏｕｎｇ）に発行された、発明の名称が「剛化繊維及び超吸収性材料を含む吸収構造」という米国特許第５，３６０，４２０号に記載されている。この文献の明細書の記載内容は、この文献がここに引用されることにより本願の明細書に組込まれる。好ましくは吸収性コア８４は、化学的に剛化されたセルロース繊維の受入れ／分配層と、木材パルプ繊維と超吸収性材料との混合物を備えている、受入れ／分配層の下に配置された貯蔵層を含んでいる。これは例えば、１９８６年９月９日にワイスマン（Ｗｅｉｓｍａｎ）及びゴールドマン（Ｇｏｌｄｍａｎ）に発行された、発明の名称が「高密度吸収構造」という、米国特許第４，６１０，４７８号に開示されている。この特許の明細書の記載内容は、この特許がここに引用されることにより本願の明細書に組込まれる。
【００５８】
表面シート８０は、吸収性コア８４の体側表面に隣接して配置され、好ましくは当業者においてよく知られた取り付け手段によって、吸収性コア８４及びシャシー層４０に結合されている。適切な取り付け手段は、吸収性コア８４をシャシー層４０に結合させることに関して記載されているものである。ここで用いられている「結合された（ｊｏｉｎｅｄ）」という用語は、要素を直接他の要素に固定して１つの要素をもう１つの要素に直接固定する形態、要素を、これ自体が他の要素に固定されている中間部材に固定して、要素を間接的にもう１つの要素に固定する形態をも包含する。好ましい実施の形態において、表面シート８０及びシャシー層４０は、これらを引上げ着用おむつ２０の吸収性コア８４又は弾性パネル部材７８又はその他の要素に直接結合して、間接的に結合する。
【００５９】
表面シート８０は、好ましくは３つの部材の構造を備えている。これは例えば１９８９年１月３日にドラゴー（Ｄｒａｇｏｏ）に発行された、発明の名称が「漏れ耐性二重カフスを有する吸収体」という、米国特許第４，７９５，４５４号に開示されている。この特許の明細書の記載内容は、この特許がここに引用されることにより本願の明細書に組込まれる。図４中に示されるように表面シート８０は、液体透過性主要層８６、及びこの液体透過性主要層８６から外側に側面方向に伸びている、この層に結合されたバリア層８８を備える。液体透過性主要層８６は、液体透過性材料であり、これによって液体がその厚みを素早く通過し、吸収性コア８４に吸収される。２つのバリア層８８は、好ましくは疎水性であり、引上げ着用おむつ２０の側部からの漏れを防ぎ、より好ましくは前部ストレッチラミネート４６及び後部ストレッチラミネート４８を強化するために延伸性がある。
【００６０】
液体透過性主要層８６は、好ましくは柔軟性があり、感触が柔らかく、着用者の皮膚を刺激しない。液体透過性主要層８６は、液体（例えば尿）透過性であり、その厚みを素早く通過する。適切な液体透過性主要層８６は、広い範囲の材料、例えば多孔質発泡体；網状発泡体；開口い。好ましくは液体透過性主要層８６は、ニュージャージー州ランディスビル（Ｌａｎｄｉｓｖｉｌｌｅ）のファイバーテック社（Ｆｉｂｅｒｔｅｃ，Ｉｎｃ．）によって、６７０１という名称で製造されているものである。
【００６１】
図３に示された実施の形態において、液体透過性主要層８６は好ましくは液体がシャシー層４０と境を接しておらず、したがって液体は液体透過性主要層８６に沿って引上げ着用おむつ２０の縁まで滲み出すことがなく、液体がバリア層８８の立ち上がり部分９２から成るバリアカフスの上下に滲まず、したがってより強力な前部ストレッチラミネート４６及び後部ストレッチラミネート４８を生じるように、より延伸性のある材料がサイドパネル６４，６４′に配置されてもよい。液体透過性主要層８６は好ましくは吸収性コア８４の体側表面の主要部分と重なり合い、さらに好ましくは少なくとも股部３０において吸収性コア８４の体側表面区域のすべてと重なり合い、したがって引上げ着用おむつ２０に排出される排泄物は、液体透過性主要層８６に浸透する。ここで排泄物は吸収性コア８４に吸収される。液体透過性主要層８６は、吸収性コア８４の側縁の方へ外側へ側面方向に伸び、好ましくは少なくとも股部３０において吸収性コア８４の側縁を超えて伸びている。しかしながら液体透過性主要層８６は、股部３０の脚縁７４の内側に向かったところで終わっている。最も好ましい形状において、液体透過性主要層８６はバリア層８８の基縁９５に隣接して終わっている（すなわち液体透過性主要層８６が終る縁は、バリア層８８の基縁９５に隣接して配置されている）か、又は端縁は、基縁９５より離れて基縁９５から内側に配置されている。ここでは隣接して（ａｄｊａｃｅｎｔ）という用語は、液体透過性主要層８６の終わる縁が、基縁９５に対し、基端９５の内側に引っ込んだ又は外側に越えた小さい区域において終わっているという意味である。このような小さい区域は、製造中の機械許容差により、あるいは製造される時における液体透過性主要層８６の区域における変動により生じる。
【００６２】
図３に示される表面シート８０の好ましい実施の形態において、バリア層８８は、弾性脚部５２（好ましくはガスケットカフス及び／又はバリアカフス）と、好ましくは前部ストレッチラミネート４６と後部ストレッチラミネート４８の一部を形成する。
【００６３】
図３に示されたバリア層８８は、好ましくはフラップ部分９０と立ち上がり（通路）部分９２を有する。立ち上がり部分９２は、基縁９５及び端縁９５′を有する。フラップ部分９０は好ましくはバリア層８８の連続セグメントであるが、フラップ部分９０は、立ち上がり部分９２へ固定された種々の材料片から形成されてもよい。したがってフラップ部分９０は、立ち上がり部分９２よりも様々な物理的性質、大きさ、及び特徴を有していてもよい。実際、フラップ部分９０又は立ち上がり部分９２は、所望であれば、引上げ着用おむつ２０から完全に無くしてもよい。立ち上がり部分９２は、米国特許第４，７９５，４５４号（ドラゴー（Ｄｒａｇｏｏ））に記載されたバリアカフスのフラップを形成かつ画定する。立ち上がり部分９２の基縁９５は、好ましくは弾性脚部部材９６と長手方向中心線との間に配置され、最も好ましくは少なくとも股部３０において、弾性脚部部材９６と吸収性コア８４の側縁との間に配置されて、基縁９５に沿って密封を創り出す。端縁９５′は、好ましくは少なくとも股部３０において、引上げ着用おむつ２０の下部構造には固定されず、立ち上がり部分９２によるバリアカフスを形成する。立ち上がり部分９２の末端は、好ましくは引上げ着用おむつ２０の下部構造である液体透過性主要層８６に閉鎖手段９８によって結合される。この閉鎖手段９８は例えばここに記載されたどの取り付け手段でもよく、これはバリアカフスの立ち上がり機能を強化するためである。バリア層８８の立ち上がり部分９２はしたがって好ましくは、引上げ着用おむつ２０からの排泄物の漏れを減らすために疎水性である。
【００６４】
本発明の好ましい実施の形態において、前部２６と後部２８のバリア層８８のフラップ部分９０の少なくともいくつかのセグメントは、各々サイドパネル６４と６４′にストレッチラミネートを生じるために機械的ストレッチングに付される。したがって少なくともフラップ部分９０、好ましくはバリア層８８の全体は伸び性があり、より好ましくは延伸性があり（しかしながら必ずしもエラストマー性はなくてもよい）、したがってバリア層８８は機械的ストレッチングを受けた時、少なくともある程度まで永久に伸ばされたままであり、したがってそのもとの形状に十分には戻らない。特に好ましい実施の形態において、バリア層８８は、過度の破断も裂けも引起こさずに機械的ストレッチングに付すことができる。したがってバリア層８８は好ましくは伸び性（ｅｌｏｎｇａｔａｂｌｅ）があり、より好ましくは延伸性（ｄｒａｗａｂｌｅ）があり、最も好ましくは疎水性材料である。バリア層８８に適した材料には、第１ベルト層４２と第２ベルト層４４に適した層の多くが含まれる。バリア層８８の好ましい材料は、スパンボンドポリエチレン又はポリエチレン混合繊維ウェブである。バリア層８８に適した材料は、ノースカロライナ州シンプソンビルのファイバーウエブ社（Ｆｉｂｅｒｗｅｂ  Ｎ．Ａ．）から、Ｅ１００４２０３という名称で製造されているスパンボンドポリエチレン繊維ウェブである。
【００６５】引上げ着用おむつ２０はまた、好ましくは空気及び水蒸気が引上げ着用おむつ２０の内部に出入りができるように、通気孔又は開口が備えられていてもよい。好ましい実施の形態において、開口はサイドパネル６４，６４′に配置されている。この形状では、排泄物は、吸収性コア８４に隣接する区域からの漏れが妨げられるが、空気と水蒸気はこの製品の中で交換が行なわれて換気され、したがってこの製品は体の汗によって過度に湿ることがなく、着用していて不快になることもない。通気孔はさらに、引上げ着用製品のその他のパネル又は引上げ着用おむつ２０の要素のいくつかに備えられていてもよい。例えば通気孔は、前部２６又は後部２８にあるウエストバンドパネル６０，６０′に備えられてウエストバンドパネル６０，６０′に換気と通気性を与えてもよく、及び／又は通気孔は、製品の換気をさらに強めるために、一体型ウエストキャップ／ウエストバンド８２に備えられていてもよい。
【００６６】
引上げ着用おむつ２０は好ましくは、サイドパネル６４，６４′の中に複数の通気孔を備えるものである。通気孔は、大小の開口の決められたパターンで配置されている。開口は一般に、直径が約０．３〜２．５ｍｍであり、大きい方の開口は、直径が好ましくは約１〜２ｍｍであり、小さい方の開口は約０．５〜０．９ｍｍである。開口は、生地に孔又は開口部を押し抜き（ｐｕｎｃｈ）して、又は自己加熱接着、例えば超音波又は熱／圧力方法によって孔を形成して作ることができる。このような開口及び形成技術は、１９５１年３月６日にカトラー（Ｃｕｔｌｅｒ）に発行された米国特許第２，５４４，０６９号、及び１９８９年５月３０日にキェルピコウスキーその他（Ｋｉｅｌｐｉｋｏｗｓｋｉ  ｅｔ  ａｌ．）に発行された米国特許第４，８３４，７３８号に記載されている。これらの特許の明細書の記載内容は、これらの特許がここに引用されることにより本願の明細書に組込まれる。好ましくは開口は、製品の層全体、サイドパネル６４，６４′の前部ストレッチラミネート４６と後部ストレッチラミネート４８の層全体を通って伸びており、したがって通気孔は製品の内側から外側へ伸びている。あるいはまた通気孔は、層のうちの１つ又はそれ以上にだけ作られていてもよく、孔というより細長孔（ｓｌｉｔ）又は切れ目（ｃｕｔ）であってもよい。
【００６７】
あるいはまた通気性は、引き上げ着用おむつ２０の材料を、当業界において知られた空気又は蒸気透過性材料にすることによって備えてもよい。例えばシャシー層４０は、通気性（蒸気透過性）はあるが液体不透過性のプラスチックフィルムを備えていてもよい。弾性パネル部材７８は、引上げ着用おむつ２０の通気性をさらに高めるために、開放材料、例えば発泡体、スクリム（ｓｃｒｉｍ）、不織布、又は通気性エラストマーフィルムであってもよい。
【００６８】
本発明の引き上げ着用おむつ２０は、介護者によって着用されても、着用者によって自分で着用されてもよい。一般にウエスト開口３６は伸びるので、着用者は一方の足を脚開口３４の１つに挿入することができる。ついでもう一方の足をもう１つの脚開口３４へ入れる。ついで引上げ着用おむつ２０は、着用者の胴体に引き上げられ、引上げ着用おむつ２０の着用位置に収まる。前部ストレッチラミネート４６と後部ストレッチラミネート４８によって生じた力の壁は特にさらに伸びるのではなく、引上げ着用おむつ２０を臀部の上に余儀なく引上げるようにさせることにより、引上げ着用おむつ２０を自分で着用する時に役に立つ。したがって引上げ着用おむつ２０が着用され、排出された体内からの排泄物を格納かつ保持しうる。引上げ着用おむつ２０は、脚から引き下げられるか、あるいは閉じ目３２の近くの引上げ着用おむつ２０の部分を引裂くことによって、着用者から取り除かれる。
【００６９】
図５は、本発明のもう１つの実施の形態の引上げ着用おむつ２０の断面の斜視図である。図５に示されるように、シャシー層５４０は、引上げ着用おむつ５２０の内側表面２４を形成する。したがってシャシー層５４０は表面シートとして用いられる。このため、この実施の形態においては、シャシー層５４０は好ましくは液体透過性不織布ウェブを備えている。シャシー層５４０は好ましくは、表面シートの主要層の形成に関して本明細書において前記されたような不織布材料である。第１ベルト層５４２は、シャシー層５４０の外側表面５７７に隣接して配置されている。第２ベルト層（図示せず）も、シャシー層５４０の外側表面５７７に隣接して配置されている。さらに、好ましくは液体不透過性プラスチックフィルムを含んでいる中央バックシート層５１０は、第１ベルト層５４２の内側表面とシャシー層５４０の外側表面５７７との間に配置され、引上げ着用おむつ５２０のバックシートとして作用する。弾性パネル部材７８は、シャシー層５４０と第１ベルト層５４２との間に配置されて、前部ストレッチラミネートを形成する。吸収性コア８４は、好ましくはシャシー層５４０の外側表面５７７であって、好ましくはシャシー層５４０と中央バックシート層５１０との間に配置されている。弾性脚部のバリアカフス５１４は、好ましくはシャシー層５４０の内側表面５７６に結合された比較的幅の狭い材料ストリップ（バリアフラップ）を備えている。これは例えばローソン（Ｌａｗｓｏｎ）の前記米国特許第４，６９５，２７８号に示されている。バリアカフスのフラップは、不織布ウェブ、プラスチックフィルム、又は不織布ウェブとプラスチックフィルムのラミネートを備えていてもよい。
【００７０】
図５に示されるように、ストレッチラミネートはさらに強化層５１２を備えている。これは好ましくはシャシー層５４０と、弾性パネル部材７８との間に配置されている。強化層５１２は、ストレッチラミネートを「歪強化する（ｓｔｒａｉｎ  ｒｅｉｎｆｏｒｃｅ）」働きをするので、ストレッチラミネートに局部的な裂けも孔も作らずにストレッチラミネートの深い機械的ストレッチング（歪付け（ｓｔｒａｉｎｉｎｇ））が可能になる。前記のように、特にストレッチラミネートに加えられる機械的ストレッチング操作により生じる高い張力部分において、他の材料よりも歪性（ｓｔｒａｉｎａｂｌｅ）の強い材料もある。したがって、あまり歪性が高くない材料とより歪性の高い材料とを組合わせた結果、材料の過度の裂けも綻びも伴なわずに非常に高い程度まで歪性のある組合わせラミネートが生じる。これは特に、シャシー層５４０が不織布生地から成るこの実施の形態において重要である。シャシー層５４０が引上げ着用おむつ５２０の表面シートとしての働きをするので、シャシー層５４０は一般に、容易に液体を透過するが、一般にほかの不織布材料ほど延伸性が無い不織布材料を備えている。したがってこの実施の形態のシャシー層５４０は、機械的ストレッチング操作を受けてストレッチラミネートを形成する場合、ちぎれるか引裂ける傾向がある。シャシー層５４０より延伸性の高い材料である強化層５１２は、機械的ストレッチングの前にシャシー層５４０にラミネートされた時、シャシー層５４０における裂けに橋を架けるか又は繋げて、全体のストレッチラミネートが使用中に壊れたり孔ができたりしないようにする。
【００７１】
したがって強化層５１２は、ストレッチラミネートに必要な強度を与えるために、延伸性のあるいくつかの材料を備えていてもよい。このような強化層の例には、プラスチックフィルム、開口プラスチックフィルム、例えばプロクター・アンド・ギャンブル社（Ｔｈｅ  Ｐｒｏｃｔｅｒ  ＆  Ｇａｍｂｌｅ  Ｃｏｍｐａｎｙ）から販売されているドリーウェーブ（ＤＲＩ−ＷＥＡＶＥ）、又は不織布ウェブがある。好ましくはストレッチラミネートに通気性を与えるために、強化層は開口プラスチックフィルム又は不織布材料を備えている。より好ましくは強化層は、この明細書で前記されたベルト層として用いられる不織布を備えている。
【００７２】
前記のように強化層５２０は、好ましくは比較的弱い層に隣接して配置されて、これらに強度を与える。図５に示された実施の形態において、強化層５１２は好ましくは、シャシー層５４０の外側表面５７７に配置されている。但しこれは所望であれば、シャシー層５４０の内側表面５２６に配置されてもよい。ストレッチラミネートに追加の強化層を備えてもよく、この要素のどれに隣接して配置されてもよい。
【００７３】
図６は、この発明のもう１つの実施の形態の引上げ着用おむつ６３０である。シャシー層６４０は表面シートとして機能する。第１ベルト層６４２は、シャシー層６４０の外側表面６７７において、好ましくは中央パネルにあるシャシー層６４０に直接隣接して配置される。弾性パネル部材７８は、サイドパネルにおいて第１ベルト層６４２とシャシー層６４０との間に配置されている。したがって介入要素を用いずに連続ベルト３８が形成される。したがって力は分散され、連続的にウエスト開口３６の周りに伝達される。中央バックシート層６１０は、第１ベルト層６４２の外側表面６１２に配置され、股部及び前部と後部の中央パネルにおいて引上げ着用おむつ６２０の外側表面２２を形成する。吸収性コア８４は、中央バックシート層６１０と第１ベルト層６４２との間に配置されている。第１ベルト層６４２が吸収性コア８４の表面上に伸びているので、第１ベルト層６４２も好ましくは液体透過性である。第１ベルト層６４２はしたがって、ここに前記されているスパンボンドポリエチレン繊維不織布材料から成っていてもよいが、例えば適切な界面活性剤を加えて、これを十分に流体透過性にする。１つ又はそれ以上の強化層をサイドパネルに配置して、シャシー層６４０と第１ベルト層６４２の両方の過度の綻びも裂けも防ぐようにしてもよい。
【００７４】
図７は、この発明のさらにもう１つの実施の形態の引上げ着用おむつの断面の斜視図である。この実施の形態において吸収性コア８４は、シャシー層７４０と第１ベルト層７４２との間に配置されている。第１ベルト層７４２は、吸収性コア８４の衣類側表面に配置されているので、液体透過性である必要がないため、第１ベルト層７４２は好ましくは延伸性があり、ベルト層としての使用についてここに前記された材料から成る。中央バックシート層７１０は、第１ベルト層７４２の外側表面７１２に配置され、股部及び前部及び後部の中央パネルにおいて、引上げ着用おむつ７２０の外側表面２２を形成する。シャシー層７４０を強化するために、強化層（図示せず）がシャシー層７４０と弾性パネル部材７８との間に配置されてもよい。
【００７５】
図８は、本発明のもう１つのバリアカフス形状の断面図である。図８に示されるように、バリアカフス８１０のフラップは、バリア層８８の立ち上がり部分８９２を備えている。バリアカフス８１０は、基縁８９５と端縁８１２を有する。基縁８９５はシャシー層８４０に結合されて、脚開口の側からの排泄物の漏れやにじみを防ぐ密閉を与える。端縁８１２は、バリア層８８の一部を弾性スペーシング部材９４の周りでそれ自体に対して折り曲げて形成される。弾性スペーシング部材９４は、フラップすなわちバリア層８８へ、弾力的に収縮しうる条件で、前記端縁８１２に隣接して作用可能に結合されて、端縁８１２が液体透過性主要層８６から立ち上がるようにされている。保持層８１４は、フラップすなわちバリア層８８へ結合される。保持層８１４は好ましくは液体不透過性フィルムであり、バリアカフス８１０からの漏れをさらに防ぐ。保持層８１４は好ましくはポリエチレンフィルムを備えている。保持層８１４は、好ましくは外側に側面方向へ基縁８９５を超えて、基縁８９５と端縁８１２の中間点まで伸びている。図８に示される実施の形態において保持層８１４は、フラップの折り重ねられた部分の間に配置されている。保持層８１４は、基縁８９５を超えて伸びており、さらに基縁８９５において防水シールを生じる。保持層８１４は、好ましくは端縁８１２まで伸びず（この実施の形態において端縁８１２から約６．３５ｍｍ（約０．２５インチ））、皮膚の健康の維持のために、端縁８１２に隣接して通気性部分を与える。したがってバリアカフス８１０は、バリアカフス８１０の基底部において液体・気体不透過性であって漏れを防ぐが、端縁８１２に隣接した部分では気体透過性であって、バリアカフス８１０の柔らかさと通気性を高める。
【００７６】
第２「バリア（ｂａｒｒｉｅｒ）」が、第２弾性スペーシング部材８９４によって作られる。これは、前記基縁８９５と前記端縁８１２の中間で、好ましくは弾性スペーシング部材９４から少なくとも約１２．５ｍｍ（約０．５インチ）のところで、前記フラップ（即ち、バリア層８８）と機能的に結合されている。第２弾性スペーシング部材８９４は、好ましくはフラップ（即ち、バリア層８８）と保持層８１４との間においてフラップ（即ち、バリア層８８）に結合される。保持層８１４は最も好ましくは間隔があけられたゾーＮ（基縁８９５に隣接し、かつフラップ（即ち、バリア層８８）の重ね合わされた部分にも隣接している）においてフラップ（即ち、バリア層８８）に結合され、したがって保持層８１４の中間部分はフラップ（即ち、バリア層８８）に固定されていない。第２弾性スペーシング部材は、好ましくはこの中間部分に隣接してフラップに結合され、したがって第２弾性スペーシング部材８１２は保持層８１４からフラップ（即ち、バリア層８８）を離すように間隔をあけ、ポケットを形成する傾向がある。第２弾性スペーシング部材８９４はしたがって、体に隣接した部分により通気性のあるフラップ区分を生じる。これは不織布のフラップ（即ち、バリア層８８）だけが体と接触するからである。第２弾性スペーシング部材８９４は好ましくは、弾性スペーシング部材９４よりも引く力でフラップ（即ち、バリア層８８）と機能的に結合され、弾性スペーシング部材９４の機能性を損なわないようにするが、保持層８１４からフラップ（即ち、バリア層８８）を離すように間隔をあける。第２弾性スペーシング部材８９４は、弾力的に収縮しうる条件で作用可能に結合され、好ましくはその末端に隣接した部分でのみ固定され、したがって中間部分はフラップ（即ち、バリア層８８）に固定されず（すなわちこれは、１９８９年３月２８日にリチャードソン（Ｒｉｃｈａｒｄｓｏｎ）に発行された、発明の名称が「脚に合う改良カフスを有する使い捨て可能おむつ」という、米国特許第４，８１６，０２５号に記載されているような引きひも弾性（ｄｒａｗｓｔｒｉｎｇ  ｅｌａｓｔｉｃ）を形成するように固定されている。この特許の明細書の記載内容は、この特許がここに引用されることにより本願の明細書中に組み込まれる。）、これによって第２弾性スペーシング部材８９４はフラップ（即ち、バリア層８８）内の、フラップ（即ち、バリア層８８）と保持層８１４によって画定されたスペース内において浮かんでいることができ、保持層８１４から通気性のある不織布のフラップ（即ち、バリア層８８）を間隔をあけて離すことによって、柔らかさと柔軟性、及びよりよい通気性／皮膚の健康を与えるようにして、体と接触させることができる。
【００７７】
前記バリアカフス８１０の実施の形態のさらに好ましい実施の形態として、バリアカフス８１０のカフスの高さと間隔は、バリアカフス８１０が引上げ着用おむつ２０に結合される方法によって調節されてもよい。図８Ａは、バリアカフス８１０の高さと間隔を最適なものにするために、バリアカフス８１０がどのように表面シート８０のバリア層８８及び液体透過性主要層８６に結合されるかを示している。フラップ（即ち、バリア層８８）の内側表面は、引上げ着用おむつ２０、一般的には表面シート８０のバリア層８８及び液体透過性主要層８６に結合されるが、その末端において、第１閉鎖手段８１６によって、バリアカフス８１０の高さの約半分の位置に（第２弾性スペーシング部材８９４に隣接して）、基縁８９５から側面方向の内側へ結合される。ついで端縁８１２は、基縁８９５の方へ側面方向の外側に折り返され、このようにして第１バリアセグメント８２０及び第２バリアセグメント８２２が形成される。第２バリアセグメント８２２におけるフラップ（即ち、バリア層８８）の外側表面は、第２閉鎖手段８１８によって立ち上がり部分８９２の端縁８１２において第１バリアセグメント８２０におけるフラップ（即ち、バリア層８８）の外側表面に結合される。折り返しによって、股部３０により幅広いバリアカフス８１０の間隔と、より高いバリアカフス８１０の高さを与え、漏れ性能（ｌｅａｋａｇｅ  ｐｅｒｆｏｒｍａｎｃｅ）（特にＢＭ保持（ＢＭ  ｃｏｎｔａｉｎｍｅｎｔ））が有意に改善される。第２閉鎖手段８１８の第１バリアセグメント８２０及び第２バリアセグメント８２２に沿う位置関係は、バリアカフス８１０の高さとバリアカフス８１０の間隔を変えるために様々なものであってもよいことに注目すべきである。バリアカフス８１０の高さは、引上げ着用衣類についての特に重要なパラメーターである。これは、着用する時にバリアカフス８１０に着用者の脚が絡まることがあるので、着用時に問題を起こすかもしれないからである。バリアカフス８１０の高さは好ましくは約４４．５ｍｍ（約１．７５インチ）より低く、より好ましくは約３１．７５ｍｍ〜約４４．５ｍｍ（約１．２５〜約１．７５インチ）であり、股部３０におけるバリアカフス８１０の間隔は、約６３．５ｍｍ（約２．５インチ）〜約９９ｍｍ（約３．５インチ）である。
【００７８】
図９は、本発明のもう１つの実施の形態であり、ここでは通気孔５４がサイドパネル６４，６４′（図１Ａ参照）に備えられており、シャシー層９４０の一部が各サイドパネル６４，６４′において除去されている（窓が開けられている）。シャシー層９４０のこの部分は、サイドパネル６４，６４′に高い通気性を与えるために除去されている。ベルト層（第１ベルト層４２又は第２ベルト層４４）は、表面シート８０の液体透過性主要層８６、及びあるセグメントにおいては一体型ウエストキャップ／ウエストバンド８２を備えている。第１ベルト層４２及び第２ベルト層４４と表面シート８０の液体透過性主要層８６はどちらも好ましくは不織布ウエブなので、水蒸気は引上げ着用おむつ２０の中と外との間を通過でき、これによって引上げ着用おむつ２０全体の通気性が高められる。通気孔５４は、ここで前記されたものと同様なものであり、サイドパネル６４，６４′に高い通気性を与える。
【００７９】
図１０は、本発明のさらにもう１つの実施の形態の引上げ着用おむつ１０２０を示す。シャシー層１０４０も、ベルト層としての働きをする。シャシー層１０４０はまた、前部と後部の両方、及び股部において、引上げ着用おむつ１０２０の外側表面２２を生じる。この実施の形態において、シャシー層１０４０は好ましくは、不織布ウェブを備えており、引上げ着用おむつ１０２０全体に布製衣類のような感触と外見を与える。表面シート８０は、液体透過性主要層８６と１対のバリア層８８を有する。この実施の形態において、引上げ着用おむつ１０２０には複合バックシートが備えられている。これは吸収性コア８４に対してはバックシートとして作用し、サイドパネル６４，６４′の前部ストレッチラミネート４６と後部ストレッチラミネート４８に対しては強化層として作用する。この実施の形態において、複合バックシートは中央バックシート層１００２と、１対のバックシート強化層１００４を含んでいる。中央バックシート層１００２は、好ましくは排泄物を吸収性コア８４に封じ込めるための液体不透過性フィルムである。しかしながら中央バックシート層１００２は機械的ストレッチングに付される必要がないので、これはこの明細書で前記されたような液体不透過性、蒸気透過性フィルムを備えていてもよく、股部３０及び前部２６及び後部２８の中央パネル（中間パネル６２，６２′とウエストバンドパネル６０，６０′）において引上げ着用おむつ１０２０に全体的な通気性を与える。バックシート強化層１００４は機械的ストレッチングに付されるので、これらは好ましくは強化層として使用するのに適したあらゆる材料から成っていてもよい。例えば不織布ウェブ又はプラスチックフィルムなどである。示される実施の形態において、バックシート強化層１００４は、図１〜図４の実施の形態のシャシー層４０として用いられているプラスチックフィルムを備えている。バックシート強化層１００４は、中央バックシート層１００２と重なり合い、より好ましくはこれに結合されているが、バックシート強化層１００４はその代わりに、中央バックシート層１００２から外側へ側面方向へ間隔があげられていてもよく、この中央バックシート層１００２に固定されていない。バックシート強化層１００４は、独立した強化層として作用する。中央バックシート層１００２とバックシート強化層１００４は好ましくは各々、プラスチックフィルムを備えているので、これらの層は、製造中の取扱いを容易にするため、引上げ着用おむつ１０２０に組合わせる前に結合されてもよい。弾性パネル部材７８は好ましくはシャシー層１０４０とバックシート強化層１００４との間に配置され、ストレッチラミネートを生じる。
【００８０】
本発明の特別な実施の形態を例示し記載したが、当業者には、本発明の精神及び範囲から逸脱することなく様々なその他の変更及び修正を行ないうることは明白であろう。したがってこの発明の範囲内にあるすべての変更及び修正を、添付の請求の範囲において包含するものとする。
【００８１】
使い捨て可能おむつ、特に本明細書で開示されたもののような身体にぴったり合っているおむつ及び排泄しつけ用パンツのような衣類のために、吸収体によって生成される通気性及び周囲の力は、特に暑く湿度の高い条件での性能に重要であることが見出された。吸収体を着用者に配置したとき、吸収体を作る材料によって皮膚が塞がれる。この皮膚の閉塞は、特に暑く湿度の高い条件下で、閉塞された領域での蒸発及びその結果の冷却を妨げる。結果として生じた汗は、吸収体の内側の空気の相対湿度を上昇させ、着用者にとって快適性が低下し、治療奉仕者により認識される欠点になる。更に、吸収体が、身体によって作られる水蒸気を吸収体の外に移動するために十分な能力を有していない場合には、紅色汗疹及びその他の負の皮膚疾患の発生率が増加し得る。更に、後部ウエストバンドパネル、サイドパネル、前ウエストバンドパネル及び脚フラップパネルの弾性化は、非常に汗をかく身体の領域そのものへの過剰の力になり得る。これらの力は、皮膚を擦り、摩擦し、全ての負の皮膚状態を増悪する傾向がある。背のウエストは平らで非常に高い濃度で汗腺があるので、このことは着用者の後部ウエスト部で著しい。このように、背のウエストは一般的により多く製品によって閉塞される。暑く湿度の高い条件下で、背のウエストはしばしば、汗によって最も水分を得て、紅色汗疹又は皮膚疾患を最も受ける領域である。
【００８２】
従来のおむつ及び引上げ着用おむつ並びに排泄しつけ用パンツで、おむつ内の湿度を減少させるために通気性の材料を使用することを試みた。しかしながら、これらの材料は、製品内の湿度を、暑く湿度の高い条件に暴露したとき着用者を快適にする程度まで低下させるために十分な水分蒸気透過率を与えなかった。更に、サイドパネルに於いて高い水分蒸気透過率材料を用いることによって湿度問題を幾らか減少させながら通気性の材料を有する風船スタイルの排泄しつけ用パンツの使用によって、皮膚に痕を付けたり、紅色汗疹及びその他の皮膚刺激の発生率を更に増加させ得るウエストバンドパネルに於いてより強い力を必要とすることによって、背のウエストに於ける問題点を悪化させた。
【００８３】
吸収体の残りの総括蒸気透過率と結び付けたサイドパネルの水分蒸気透過率は、高い熱及び湿度条件に伴う紅色汗疹及びその他の皮膚問題の発生率を低下させる上で重要であることが見出された。更に、着用者に製品を保持するために更にサイドパネルの力に依存しながら、皮膚への圧力を低下させるために、より小さい力を有するウエストバンド及び脚バンドを使用することが、これらの状態を低下させる上で極めて重要であることが見出された。吸収体内の湿度及び熱蓄積を減少させるために、サイドパネル６４及び６４′は、少なくとも約３５００ｇ／ｍ2／24時間、更に好ましくは少なくとも約４０００ｇ／ｍ2／24時間の重量平均質量蒸気透過率を有していなくてはならない。サイドパネル６４，６４′として使用される特別の弾性積層体について、サイドパネル６４，６４′は約３５００ｇ／ｍ2／24時間〜約８０００ｇ／ｍ2／24時間、更に好ましくは約４０００ｇ／ｍ2／24時間〜約７０００ｇ／ｍ2／24時間の範囲内の平均質量蒸気透過率を有していなくてはならない。
【００８４】
着用者の背のウエストは、高濃度で汗腺を有し、典型的に平らであるので、後部２８に配置されたウエストバンドパネル６０′も好ましくは、少なくとも約３０００ｇ／ｍ2／24時間の、更に好ましくは約３５００ｇ／ｍ2／24時間より大きい、最も好ましくは約４０００ｇ／ｍ2／24時間より大きい重量平均質量蒸気透過率を有していなくてはならない。後部２８に於けるウエストバンドパネル６０′を備える積層体について、重量平均質量蒸気透過率は約３０００ｇ／ｍ2／24時間〜約８０００ｇ／ｍ2／24時間、更に好ましくは約３５００ｇ／ｍ2／24時間〜約７０００ｇ／ｍ2／24時間の範囲内でなくてはならない。
【００８５】
好ましい態様に於いて、弾性脚構造（ｅｌａｓｔｉｃ  ｌｅｇ  ｆｅａｔｕｒｅ）も背のウエストバンドパネルと同じ重量平均質量蒸気透過率を有するであろう。前部２６に於けるウエストバンドパネル６０も同様に構成されるであろう。
【００８６】
股部３０内に配置されている主パネル５６は典型的に、より小さい質量蒸気透過率を有する吸収性コア８４を備えているので、主パネル５６は高い質量平均透過率を有する全体吸収体を与える上での主な限定要因であることが見出された。しかしながら、吸収性コア８４を含有する主パネル５６並びに全体の吸収体自体は、少なくとも約２５００ｇ／ｍ2／24時間、更に好ましくは少なくとも約３０００ｇ／ｍ2／24時間の重量平均質量蒸気透過率を有していなくてはならないことが見出された。主パネル５６及びこの材料を与えられた吸収体全体は、一般的に約２５００ｇ／ｍ2／24時間〜約８０００ｇ／ｍ2／24時間、更に好ましくは約３０００ｇ／ｍ2／24時間〜約７０００ｇ／ｍ2／24時間の範囲内の重量平均質量蒸気透過率を有するであろう。それで、おむつ又は衣類の各パネルは、約２５００ｇ／ｍ2／24時間より大きい重量平均質量蒸気透過率を有していなくてはならない。
【００８７】
所望の重量平均質量蒸気透過率を有する代表的サイドパネル６４及び６４’は、サイドパネル６４，６４’が少なくとも一方向に伸びることができるように、カバーストック層（覆い材料層）及びカバーストック層に結合されたエラストマー性層を備える弾性積層体である。このカバーストック層は好ましくは、弾性化されているサイドパネル６４，６４’に関して上記したような多数の材料を備えている。特に、カバーストック層は最も好ましくは、名称ＦＮＡ  １３５６１．３０．０でビー・ビー・エー（ＢＢＡ）不織布会社であるファイバーウェブ社（Ｆｉｂｅｒｗｅｂ）によって製造されたもののような不織ウェブを備えていることが見出された。エラストマー性層はサイドパネル６４，６４’の最も重要な層である。典型的なフィルム弾性材料及び他のエラストマー性層はサイドパネルを通過する蒸気を閉塞する。スクリム（ｓｃｒｉｍ）を備えるエラストマー性層が、上記で要求される増加した重量平均質量蒸気透過率を与える上で最も有効であることが見出された。このようなスクリムの例は、名称ＴＮ２５１４でコンウェド・プラスチック（Ｃｏｎｗｅｄ  Ｐｌａｓｔｉｃｓ）によって製造されたものである。典型的なサイドパネル６４，６４’に於いて、追加の第２カバーストック層が、最初のカバーストック層からエラストマー性層のスクリムの反対側に設けられている。このカバーストック層は、最初のカバーストック層と同じでも又は異なっていてもよい。名称ＦＮＡ  １３５６１．３０．０でビー・ビー・エー（ＢＢＡ）不織布会社であるファイバーウェブ社（Ｆｉｂｅｒｗｅｂ）によって製造されたもののような不織ウェブカバーストック層、名称ＴＮ２５１４でコンウェド・プラスチック（Ｃｏｎｗｅｄ  Ｐｌａｓｔｉｃｓ）によって製造されたスクリムを備えるエラストマー性層及び該エラストマー性層の反対側に配置され、名称ＦＮＡ  １３５６１．３０．０でビー・ビー・エー（ＢＢＡ）不織布会社であるファイバーウェブ社（Ｆｉｂｅｒｗｅｂ）によって製造された第２不織ウエブカバーストック層を備える弾性積層体サイドパネルは、ゼロ歪伸張積層体に形成され、前記のようにして機械的に伸長されたとき、約４２００ｇ／ｍ2／24時間の重量平均質量蒸気透過率を有する弾性積層体サイドパネルになる。このサイドパネルは、それから側面方向に外側に向かって配置されていて衣類を形成する閉じ合せパネル６６及び６６′を有していてよく又は従来のおむつのように使用するときサイドパネル６４，６４’を、前部２６（支持体）内のサイドパネル６４に取り外し可能に取り付けるために、ファスナーをサイドパネル６４に結合してもよい。
【００８８】
後部２８のウエストバンドパネル６０’内の代表的弾性ウエスト構造は、カバーストック層、エラストマー性層及び第２カバーストック層を備えている。
【００８９】
後部２８内の弾性ウエスト構造によって発生する皮膚接触圧力（ブエル（Ｂｕｅｌｌ）の米国特許第３，８６０，００３号（引用して含める）を参照）が、熱及び湿度問題を少なくするために皮膚に痕がつくことを減少させる上で重要であることも見出された。この弾性ウエスト構造は、約０．０５２７ｋｇ／ｃｍ2（約０．７５ｐｓｉ）より小さい、好ましくは約０．０１４１ｋｇ／ｃｍ2〜約０．０５２７ｋｇ／ｃｍ2（約０．２ｐｓｉ〜約０．７５ｐｓｉ）の皮膚接触圧力を有することが好ましい。
【００９０】
脚フラップパネル５８及び前部２６の弾性ウエスト構造は好ましくは、後部２８の弾性ウエスト構造に関して前述した、重量平均質量蒸気透過率及び低い皮膚接触圧力を与えるように同様に構成されているけれども、これらの構造のそれぞれは異なった材料からなっていてもよく、又はこれらの構造のそれぞれについての必要性に依存して異なった質量蒸気透過率又は皮膚接触圧力を有していてもよい。
【００９１】
吸収体全体が約３０００ｇ／ｍ2／24時間〜約８０００ｇ／ｍ2／24時間の範囲内の重量平均質量蒸気透過率を有することが重要であるけれども、吸収体の幾つかの部分は、材料制限又は特別の構成のために、２５００ｇ／ｍ2／24時間より小さい重量平均質量蒸気透過率を有するパネルを有するであろう。これらのパネルは、十分に大きい場合は、高い熱及び湿度条件に伴なう紅色汗疹及びその他の皮膚問題の分離された又は局在化した発生率をもたらすかもしれない。このような事を防止するために、約２５００ｇ／ｍ2／24時間より大きい、好ましくは約３０００ｇ／ｍ2／24時間より大きい、重量平均質量蒸気透過率を有するパネルを有する吸収体は、１０ｍｍ、好ましくは７ｍｍ、より長くこのパネルから外に向かって伸びているとともに約２５００ｇ／ｍ2／24時間より小さい重量平均質量蒸気透過率を有する他のパネルと近接していない。約２５００ｇ／ｍ2／24時間より小さい重量平均質量蒸気透過率を有する閉塞パネルが、隣接する通気性パネルから１０ｍｍ、好ましくは７ｍｍより長く外に向かって伸びていない限り、紅色汗疹及びその他の皮膚問題の発生率は大幅に低下する。しかしながら、約２５００ｇ／ｍ2／24時間より小さい重量平均質量蒸気透過率を有する閉塞パネルが、隣接する通気性パネルから１０ｍｍより長く外に向かって伸びていると、紅色汗疹及びその他の被覆問題が起こるらしい。
【００９２】
水分蒸気透過率は下記の方法によって測定する。既知量のＣａＣｌ2をフランジ付きカップに入れる。サンプルをカップの頂部に置き、止め輪及びガスケットによってしっかりと固定する。次いで、このアセンブリを秤量し、初期重量として記録する。このアセンブリを一定の温度（４０℃）及び湿度（７５％ＲＨ）のチャンバー内に５時間置く。次いで、このアセンブリをチャンバーから取り出し、天秤が置かれている部屋の温度で少なくとも３０分間平衡にする。次いで、このアセンブリを秤量し、最終重量として記録する。質量蒸気透過率（ＭＶＴＲ）を、下記の式を使用して計算し、ｇ／ｍ2／24時間で表わす。
0003782111.tif 000002
本発明の特別の態様を示し、説明したけれども、種々の他の変更及び修正を、本発明の精神及び範囲から逸脱することなく行うことができることが、当業者にとって自明であろう。それで、本発明の範囲内である全てのこのような変更及び修正を、付属する請求の範囲内で包含することが意図される。
【図面の簡単な説明】
【図１】本発明の第１の実施の形態の使い捨て可能吸収性引上げ着用衣類である引上げ着用おむつの典型的な使用中の形状における斜視図である。
【図１Ａ】図１の引上げ着用おむつの広げられた非収縮状態における様々なパネルを示す概略的な平面図である。
【図２】図１の引上げ着用おむつの広げられた非収縮状態における外側表面をその下部の構造を見せるために一部を切り取って示す平面図である。
【図３】図２の３−３切断線に沿った断面を示す斜視図である。
【図４】図１の引上げ着用おむつの広げられた非収縮状態における内側表面をその下部の構造を見せるために一部を切り取って示す平面図である。
【図５】図２の３−３切断線に沿った断面を示す斜視図と同様な、本発明の第２の実施の形態の引上げ着用おむつの断面の斜視図である。
【図６】図２の３−３切断線に沿った断面を示す斜視図と同様な、本発明の第３の実施の形態の引上げ着用おむつの断面の斜視図である。
【図７】図２の３−３切断線に沿った断面を示す斜視図と同様な、本発明の第４の実施の形態の引上げ着用おむつの断面の斜視図である。
【図８】本発明の第５実施の形態の引上げ着用おむつの股部におけるバリアカフスである立ち上がり部分の断面図である。
【図８Ａ】図８のバリアカフスである立ち上がり部分が、どのように本発明の第５実施の形態の引上げ着用おむつの股部における表面シートへ結合されるかを示す断面図である。
【図９】通気孔がサイドパネルに備えられている本発明の第６の実施の形態の引上げ着用おむつの広げられた非収縮状態における外側表面をその下部の構造を見せるために一部を切り取って示す平面図である。
【図１０】図２の３−３切断線に沿った断面を示す斜視図と同様な、本発明の第７の実施の形態の引上げ着用おむつの断面の斜視図である。
【図１１】本発明の第１の実施の形態の引上げ着用おむつの前部と後部のサイドパネルの閉じ合わせパネルの閉じ目の接着パターンを示す平面図である。
【図１２】本発明の第１の実施の形態の引上げ着用おむつの前部と後部のストレッチラミネートにおける弾性パネル部材として用いられる、特に好ましいエラストマー材料のサンプルの幅１インチあたりの応力／歪曲線（グラム）の図表である。
【図１３】本発明の第１の実施の形態の引上げ着用おむつの前部と後部のストレッチラミネートに関する２回の伸長／回復工程の伸長／力応答曲線を示す図である。
【図１４】本発明の第１の実施の形態の引上げ着用おむつの前部と後部のストレッチラミネートによって発生した力の壁を示す図である。
【符号の説明】
２０…引上げ着用おむつ
２６…前部
２８…後部
３０…股部
３２…閉じ目
４０…シャシー層（バックシート）
４６…前部ストレッチラミネート
４８…後部ストレッチラミネート
５６…主パネル
５８…脚フラップパネル
６０，６０′…ウエストバンドパネル（中央パネル）
６２，６２′…中間パネル（中央パネル）
６４，６４′…サイドパネル
６６，６６′…閉じ合わせパネル
６８…側縁
６９…端縁
７８，７８′…弾性パネル部材
８０…表面シート
８４…吸収性コア
９６…弾性脚部部材
５１０…中央バックシート
５２０…引上げ着用おむつ
５４０…シャシー層
６１０…中央バックシート層
６２０…引上げ着用おむつ
６４０…シャシー層（表面シート）
７１０…中央バックシート層
７２０…引上げ着用おむつ
７４０…シャシー層
９４０…シャシー層
１００２…中央バックシート層
１０２０…引上げ着用おむつ
１０４０…シャシー層
【図１】
0003782111.tif 000003
【図１Ａ】
0003782111.tif 000004
【図２】
0003782111.tif 000005
【図３】
0003782111.tif 000006
【図４】
0003782111.tif 000007
【図５】
0003782111.tif 000008
【図６】
0003782111.tif 000009
【図７】
0003782111.tif 000010
【図８】
0003782111.tif 000011
【図８Ａ】
0003782111.tif 000012
【図９】
0003782111.tif 000013
【図１０】
0003782111.tif 000014
【図１１】
0003782111.tif 000015
【図１２】
0003782111.tif 000016
【図１３】
0003782111.tif 000017
【図１４】
0003782111.tif 000018